(57)【要約】  本願の実施例は同期信号ブロックの送信面でビットオーバーヘッド及び端末の処理複雑度を低減することができる無線通信方法及び装置を提供する。該方法は、第１同期信号ブロックに含まれる物理ブロードキャストチャネル（ＰＢＣＨ）における第１指示フィールドが同期信号ブロック及び非同期信号ブロックのチャネル又は信号間の物理リソースブロック（ＰＲＢ）グリッドオフセット、又は第２同期信号ブロックのリソース情報を示すために使用されると決定することと、前記第１同期信号ブロックを送信し、前記第１指示フィールドが前記第２同期信号ブロックのリソース情報を示すために使用されると決定する場合、前記第１同期信号ブロックにおける第１指示フィールドが前記第２同期信号ブロックのリソース情報を示すことと、を含む。
2021512520.tif 000002
【特許請求の範囲】
【請求項１】
無線通信方法であって、
第１同期信号ブロックを送信することであって、前記第１同期信号ブロックにおける物理ブロードキャストチャネル（ＰＢＣＨ）が少なくとも１つの指示フィールドを含むことを含み、
前記少なくとも１つの指示フィールドが第１インデックスを搬送するために使用され、前記第１インデックスがＭ個のインデックスのうちの少なくとも１つを含み、前記インデックスが第２同期信号ブロックの周波数領域位置を示すために使用され、前記Ｍが１より大きい整数であることを特徴とする、前記無線通信方法。
【請求項２】
前記Ｍ個のインデックスがＱ個のインデックスを含み、前記Ｑ個のインデックスで示される周波数領域位置の周波数がいずれも前記第１同期信号ブロックの周波数領域位置の周波数より高く又はそれより低く、前記Ｑが１より大きいか等しい整数であり、且つＭより小さいか等しく、
前記Ｑ個のインデックスで示されるＱ個の周波数領域位置のうち、隣接する周波数領域位置との間隔が異なる周波数領域位置が少なくとも１つ存在することを特徴とする
請求項１に記載の方法。
【請求項３】
前記Ｑ個のインデックスがＮ個のインデックスセットに属し、各インデックスセットが１つの間隔に対応し、異なるインデックスセットに対応する間隔が異なり、前記Ｎが１より大きいか等しい整数であり、且つＱより小さいか等しく、
前記インデックスセットに対応する間隔が前記インデックスセットにおけるインデックスで示される周波数領域位置のうちの、隣接する２つの周波数領域位置の間隔であることを特徴とする
請求項２に記載の方法。
【請求項４】
前記インデックスセットにおけるインデックスで示される周波数領域位置が前記第１同期信号ブロックから遠く離れるほど、前記インデックスセットに対応する間隔が大きくなることを特徴とする
請求項３に記載の方法。
【請求項５】
前記Ｍ個のインデックスで示されるＭ個の周波数領域位置と前記第１同期信号ブロックの周波数領域位置とが同じ周波数帯に属することを特徴とする
請求項１に記載の方法。
【請求項６】
Ｍ＋１個の周波数領域位置に対応するＭ個の間隔が同じであり、前記Ｍ＋１個の周波数領域位置が前記Ｍ個のインデックスで示されるＭ個の周波数領域位置と前記第１同期信号ブロックの周波数領域位置とを含み、前記Ｍ個の間隔のそれぞれが前記Ｍ＋１個の周波数領域位置のうちの、隣接する２つの周波数領域位置の間隔であることを特徴とする
請求項５に記載の方法。
【請求項７】
前記第１同期信号ブロックが第１周波数帯に位置する場合、前記間隔が第１間隔であり、
前記第１同期信号ブロックが、前記第１周波数帯と異なる第２周波数帯に位置する場合、前記間隔が前記第１間隔に等しくない第２間隔であることを特徴とする
請求項６に記載の方法。
【請求項８】
前記Ｍ個の周波数領域位置に含まれる同期グリッドの数が同じであることを特徴とする
請求項５に記載の方法。
【請求項９】
前記第１同期信号ブロックが第１周波数帯に位置する場合、前記周波数領域位置に含まれる同期グリッドの数が第１数であり、
前記第１同期信号ブロックが、前記第１周波数帯と異なる第２周波数帯に位置する場合、前記周波数領域位置に含まれる同期グリッドの数が前記第１数に等しくない第２数であることを特徴とする
請求項８に記載の方法。
【請求項１０】
前記インデックスで示される周波数領域位置が１つ又は複数の同期グリッドを占有することを特徴とする
請求項１〜９のいずれか１項に記載の方法。
【請求項１１】
前記Ｍ個のインデックスがＳ個のインデックスを含み、前記Ｓ個のインデックスで示される周波数領域位置の周波数がいずれも前記第１同期信号ブロックの周波数領域位置の周波数より高く又はそれより低く、前記Ｓが１より大きいか等しい整数であり、且つＭより小さいか等しく、
前記Ｓ個のインデックスで示されるＳ個の周波数領域位置のうち、少なくとも１つの周波数領域位置の占有した同期グリッド数がその隣接する周波数領域位置の占有した同期グリッド数と異なることを特徴とする
請求項１に記載の方法。
【請求項１２】
前記Ｓ個のインデックスがＴ個のインデックスセットに属し、各インデックスセットが１つの同期グリッド数に対応し、異なるインデックスセットに対応する同期グリッド数が異なり、前記Ｔが１より大きいか等しい整数であり、且つＳより小さいか等しく、
前記インデックスセットに対応する同期グリッド数が前記インデックスセットにおけるインデックスで示される周波数領域位置のうちの各周波数領域位置の占有した同期グリッドの数であることを特徴とする
請求項１１に記載の方法。
【請求項１３】
前記インデックスセットにおけるインデックスで示される周波数領域位置が前記第１同期信号ブロックから遠く離れるほど、前記インデックスセットにおける対応する同期グリッド数が多いことを特徴とする
請求項１２に記載の方法。
【請求項１４】
前記インデックスは、前記第２同期信号ブロックと前記第１同期信号ブロックとの間の同期グリッドオフセットを示すことにより、前記第２同期信号ブロックの周波数領域位置を示すことを特徴とする
請求項１０〜１３のいずれか１項に記載の方法。
【請求項１５】
前記少なくとも１つの指示フィールドが第１指示フィールドを含み、前記第１指示フィールドが前記インデックスの情報又は残存最小システム情報（ＲＭＳＩ）に対応する制御チャネルのリソース情報を搬送するために使用され、前記方法は、
前記第１指示フィールドが前記ＲＭＳＩに対応する制御チャネルのリソース情報ではなく前記インデックスの少なくとも１ビットを搬送する必要があると決定することを更に含むことを特徴とする
請求項１〜１４のいずれか１項に記載の方法。
【請求項１６】
前記ＰＢＣＨが第２指示フィールドを更に含み、
前記第２指示フィールドが、関連するＲＭＳＩが前記第１同期信号ブロックに存在しないことを示すために使用される場合、前記第１指示フィールドには前記インデックスの少なくとも１ビットが搬送され、
前記第２指示フィールドが同期信号ブロック及び非同期信号ブロックのチャネル又は信号間の物理リソースブロック（ＰＲＢ）グリッドオフセットを示すために使用される場合、前記第１指示フィールドには前記ＲＭＳＩに対応する制御チャネルのリソース情報が搬送されることを特徴とする
請求項１５に記載の方法。
【請求項１７】
前記第２指示フィールドが、関連するＲＭＳＩが前記第１同期信号ブロックに存在しないことを示すために使用される場合、前記少なくとも１つの指示フィールドが前記第２指示フィールドを含み、
前記第２指示フィールドが更に前記第１インデックスのビットの一部を示すために使用され、
前記第１指示フィールドで示されるのが前記第１インデックスの別のビットであることを特徴とする
請求項１６に記載の方法。
【請求項１８】
無線通信方法であって、
第１同期信号ブロックを受信することであって、前記第１同期信号ブロックにおける物理ブロードキャストチャネル（ＰＢＣＨ）が少なくとも１つの指示フィールドを含み、
前記少なくとも１つの指示フィールドが第１インデックスを搬送するために使用され、前記第１インデックスがＭ個のインデックスのうちの少なくとも１つを含み、前記インデックスが第２同期信号ブロックの周波数領域位置を示すために使用され、前記Ｍが１より大きい整数であることと、
前記第１指示フィールドから前記第２同期信号ブロックの周波数領域位置を取得することと、を含むことを特徴とする、前記無線通信方法。
【請求項１９】
前記Ｍ個のインデックスがＱ個のインデックスを含み、前記Ｑ個のインデックスで示される周波数領域位置の周波数がいずれも前記第１同期信号ブロックの周波数領域位置の周波数より高く又はそれより低く、前記Ｑが１より大きいか等しい整数であり、且つＭより小さいか等しく、
前記Ｑ個のインデックスで示されるＱ個の周波数領域位置のうち、隣接する周波数領域位置との間隔が異なる周波数領域位置が少なくとも１つ存在することを特徴とする
請求項１８に記載の方法。
【請求項２０】
前記Ｑ個のインデックスがＮ個のインデックスセットに属し、各インデックスセットが１つの間隔に対応し、異なるインデックスセットに対応する間隔が異なり、前記Ｎが１より大きいか等しい整数であり、且つＱより小さいか等しく、
前記インデックスセットに対応する間隔が前記インデックスセットにおけるインデックスで示される周波数領域位置のうちの、隣接する２つの周波数領域位置の間隔であることを特徴とする
請求項１９に記載の方法。
【請求項２１】
前記インデックスセットにおけるインデックスで示される周波数領域位置が前記第１同期信号ブロックから遠く離れるほど、前記インデックスセットに対応する間隔が大きくなることを特徴とする
請求項２０に記載の方法。
【請求項２２】
前記Ｍ個のインデックスで示されるＭ個の周波数領域位置と前記第１同期信号ブロックの周波数領域位置とが同じ周波数帯に属することを特徴とする
請求項１８に記載の方法。
【請求項２３】
Ｍ＋１個の周波数領域位置に対応するＭ個の間隔が同じであり、前記Ｍ＋１個の周波数領域位置が前記Ｍ個のインデックスで示されるＭ個の周波数領域位置と前記第１同期信号ブロックの周波数領域位置とを含み、前記Ｍ個の間隔のそれぞれが前記Ｍ＋１個の周波数領域位置のうちの、隣接する２つの周波数領域位置の間隔であることを特徴とする
請求項２２に記載の方法。
【請求項２４】
前記第１同期信号ブロックが第１周波数帯に位置する場合、前記間隔が第１間隔であり、
前記第１同期信号ブロックが、前記第１周波数帯と異なる第２周波数帯に位置する場合、前記間隔が前記第１間隔に等しくない第２間隔であることを特徴とする
請求項２３に記載の方法。
【請求項２５】
前記Ｍ個の周波数領域位置に含まれる同期グリッドの数が同じであることを特徴とする
請求項２２に記載の方法。
【請求項２６】
前記第１同期信号ブロックが第１周波数帯に位置する場合、前記周波数領域位置に含まれる同期グリッドの数が第１数であり、
前記第１同期信号ブロックが、前記第１周波数帯と異なる第２周波数帯に位置する場合、前記周波数領域位置に含まれる同期グリッドの数が前記第１数に等しくない第２数であることを特徴とする
請求項２５に記載の方法。
【請求項２７】
前記インデックスで示される周波数領域位置が１つ又は複数の同期グリッドを占有することを特徴とする
請求項１８〜２６のいずれか１項に記載の方法。
【請求項２８】
前記Ｍ個のインデックスがＳ個のインデックスを含み、前記Ｓ個のインデックスで示される周波数領域位置の周波数がいずれも前記第１同期信号ブロックの周波数領域位置の周波数より高く又はそれより低く、前記Ｓが１より大きいか等しい整数であり、且つＭより小さいか等しく、
前記Ｓ個のインデックスで示されるＳ個の周波数領域位置のうち、少なくとも１つの周波数領域位置の占有した同期グリッド数がその隣接する周波数領域位置の占有した同期グリッド数と異なることを特徴とする
請求項１８に記載の方法。
【請求項２９】
前記Ｓ個のインデックスがＴ個のインデックスセットに属し、各インデックスセットが１つの同期グリッド数に対応し、異なるインデックスセットに対応する同期グリッド数が異なり、前記Ｔが１より大きいか等しい整数であり、且つＳより小さいか等しく、
前記インデックスセットに対応する同期グリッド数が前記インデックスセットにおけるインデックスで示される周波数領域位置のうちの各周波数領域位置の占有した同期グリッドの数であることを特徴とする
請求項２８に記載の方法。
【請求項３０】
前記インデックスセットにおけるインデックスで示される周波数領域位置が前記第１同期信号ブロックから遠く離れるほど、前記インデックスセットにおける対応する同期グリッド数が多いことを特徴とする
請求項２９に記載の方法。
【請求項３１】
前記インデックスは、前記第２同期信号ブロックと前記第１同期信号ブロックとの間の同期グリッドオフセットを示すことにより、前記第２同期信号ブロックの周波数領域位置を示すことを特徴とする
請求項２７〜３０のいずれか１項に記載の方法。
【請求項３２】
前記少なくとも１つの指示フィールドが第１指示フィールドを含み、前記第１指示フィールドが前記インデックスの情報又は残存最小システム情報（ＲＭＳＩ）に対応する制御チャネルのリソース情報を搬送するために使用され、前記方法は、
前記第１指示フィールドが搬送するのが前記ＲＭＳＩに対応する制御チャネルのリソース情報ではなく前記インデックスの少なくとも１ビットであると決定することを更に含むことを特徴とする
請求項１８〜３１のいずれか１項に記載の方法。
【請求項３３】
前記ＰＢＣＨが第２指示フィールドを更に含み、
前記第２指示フィールドが、関連するＲＭＳＩが前記第１同期信号ブロックに存在しないことを示すために使用される場合、前記第１指示フィールドには前記インデックスの少なくとも１ビットが搬送され、
前記第２指示フィールドが同期信号ブロック及び非同期信号ブロックのチャネル又は信号間の物理リソースブロック（ＰＲＢ）グリッドオフセットを示すために使用される場合、前記第１指示フィールドには前記ＲＭＳＩに対応する制御チャネルのリソース情報が搬送されることを特徴とする
請求項３２に記載の方法。
【請求項３４】
前記第２指示フィールドが、関連するＲＭＳＩが前記第１同期信号ブロックに存在しないことを示すために使用される場合、前記少なくとも１つの指示フィールドが前記第２指示フィールドを含み、
前記第２指示フィールドが更に前記第１インデックスのビットの一部を示すために使用され、
前記第１指示フィールドで示されるのが前記第１インデックスの別のビットであることを特徴とする
請求項３３に記載の方法。
【請求項３５】
ネットワーク装置であって、
処理ユニット及び通信ユニットを備え、
前記処理ユニットは第１同期信号ブロックを生成するように構成され、前記第１同期信号ブロックにおける物理ブロードキャストチャネル（ＰＢＣＨ）が少なくとも１つの指示フィールドを含み、
前記少なくとも１つの指示フィールドが第１インデックスを搬送するために使用され、前記第１インデックスがＭ個のインデックスのうちの少なくとも１つを含み、前記インデックスが第２同期信号ブロックの周波数領域位置を示すために使用され、前記Ｍが１より大きい整数であり、
前記通信ユニットは前記第１同期信号ブロックを送信するように構成されることを特徴とする、前記ネットワーク装置。
【請求項３６】
前記Ｍ個のインデックスがＱ個のインデックスを含み、前記Ｑ個のインデックスで示される周波数領域位置の周波数がいずれも前記第１同期信号ブロックの周波数領域位置の周波数より高く又はそれより低く、前記Ｑが１より大きいか等しい整数であり、且つＭより小さいか等しく、
前記Ｑ個のインデックスで示されるＱ個の周波数領域位置のうち、隣接する周波数領域位置との間隔が異なる周波数領域位置が少なくとも１つ存在することを特徴とする
請求項３５に記載の装置。
【請求項３７】
前記Ｑ個のインデックスがＮ個のインデックスセットに属し、各インデックスセットが１つの間隔に対応し、異なるインデックスセットに対応する間隔が異なり、前記Ｎが１より大きいか等しい整数であり、且つＱより小さいか等しく、
前記インデックスセットに対応する間隔が前記インデックスセットにおけるインデックスで示される周波数領域位置のうちの、隣接する２つの周波数領域位置の間隔であることを特徴とする
請求項３６に記載の装置。
【請求項３８】
前記インデックスセットにおけるインデックスで示される周波数領域位置が前記第１同期信号ブロックから遠く離れるほど、前記インデックスセットに対応する間隔が大きくなることを特徴とする
請求項３７に記載の装置。
【請求項３９】
前記Ｍ個のインデックスで示されるＭ個の周波数領域位置と前記第１同期信号ブロックの周波数領域位置とが同じ周波数帯に属することを特徴とする
請求項３５に記載の装置。
【請求項４０】
Ｍ＋１個の周波数領域位置に対応するＭ個の間隔が同じであり、前記Ｍ＋１個の周波数領域位置が前記Ｍ個のインデックスで示されるＭ個の周波数領域位置と前記第１同期信号ブロックの周波数領域位置とを含み、前記Ｍ個の間隔のそれぞれが前記Ｍ＋１個の周波数領域位置のうちの、隣接する２つの周波数領域位置の間隔であることを特徴とする
請求項３９に記載の装置。
【請求項４１】
前記第１同期信号ブロックが第１周波数帯に位置する場合、前記間隔が第１間隔であり、
前記第１同期信号ブロックが、前記第１周波数帯と異なる第２周波数帯に位置する場合、前記間隔が前記第１間隔に等しくない第２間隔であることを特徴とする
請求項４０に記載の装置。
【請求項４２】
前記Ｍ個の周波数領域位置に含まれる同期グリッドの数が同じであることを特徴とする
請求項３９に記載の装置。
【請求項４３】
前記第１同期信号ブロックが第１周波数帯に位置する場合、前記周波数領域位置に含まれる同期グリッドの数が第１数であり、
前記第１同期信号ブロックが、前記第１周波数帯と異なる第２周波数帯に位置する場合、前記周波数領域位置に含まれる同期グリッドの数が前記第１数に等しくない第２数であることを特徴とする
請求項４２に記載の装置。
【請求項４４】
前記インデックスで示される周波数領域位置が１つ又は複数の同期グリッドを占有することを特徴とする
請求項３５〜４３のいずれか１項に記載の装置。
【請求項４５】
前記Ｍ個のインデックスがＳ個のインデックスを含み、前記Ｓ個のインデックスで示される周波数領域位置の周波数がいずれも前記第１同期信号ブロックの周波数領域位置の周波数より高く又はそれより低く、前記Ｓが１より大きいか等しい整数であり、且つＭより小さいか等しく、
前記Ｓ個のインデックスで示されるＳ個の周波数領域位置のうち、少なくとも１つの周波数領域位置の占有した同期グリッド数がその隣接する周波数領域位置の占有した同期グリッド数と異なることを特徴とする
請求項３５に記載の装置。
【請求項４６】
前記Ｓ個のインデックスがＴ個のインデックスセットに属し、各インデックスセットが１つの同期グリッド数に対応し、異なるインデックスセットに対応する同期グリッド数が異なり、前記Ｔが１より大きいか等しい整数であり、且つＳより小さいか等しく、
前記インデックスセットに対応する同期グリッド数が前記インデックスセットにおけるインデックスで示される周波数領域位置のうちの各周波数領域位置の占有した同期グリッドの数であることを特徴とする
請求項４５に記載の装置。
【請求項４７】
前記インデックスセットにおけるインデックスで示される周波数領域位置が前記第１同期信号ブロックから遠く離れるほど、前記インデックスセットにおける対応する同期グリッド数が多いことを特徴とする
請求項４６に記載の装置。
【請求項４８】
前記インデックスは、前記第２同期信号ブロックと前記第１同期信号ブロックとの間の同期グリッドオフセットを示すことにより、前記第２同期信号ブロックの周波数領域位置を示すことを特徴とする
請求項４４〜４７のいずれか１項に記載の装置。
【請求項４９】
前記少なくとも１つの指示フィールドが第１指示フィールドを含み、前記第１指示フィールドが前記インデックスの情報又は残存最小システム情報（ＲＭＳＩ）に対応する制御チャネルのリソース情報を搬送するために使用され、前記処理ユニットは、更に、
前記第１指示フィールドが前記ＲＭＳＩに対応する制御チャネルのリソース情報ではなく前記インデックスの少なくとも１ビットを搬送する必要があると決定するために使用されることを特徴とする
請求項３５〜４８のいずれか１項に記載の装置。
【請求項５０】
前記ＰＢＣＨが第２指示フィールドを更に含み、
前記第２指示フィールドが、関連するＲＭＳＩが前記第１同期信号ブロックに存在しないことを示すために使用される場合、前記第１指示フィールドには前記インデックスの少なくとも１ビットが搬送され、
前記第２指示フィールドが同期信号ブロック及び非同期信号ブロックのチャネル又は信号間の物理リソースブロック（ＰＲＢ）グリッドオフセットを示すために使用される場合、前記第１指示フィールドには前記ＲＭＳＩに対応する制御チャネルのリソース情報が搬送されることを特徴とする
請求項４９に記載の装置。
【請求項５１】
前記第２指示フィールドが、関連するＲＭＳＩが前記第１同期信号ブロックに存在しないことを示すために使用される場合、前記少なくとも１つの指示フィールドが前記第２指示フィールドを含み、
前記第２指示フィールドが更に前記第１インデックスのビットの一部を示すために使用され、
前記第１指示フィールドで示されるのが前記第１インデックスの別のビットであることを特徴とする
請求項５０に記載の装置。
【請求項５２】
無線通信装置であって、
通信ユニット及び処理ユニットを備え、
前記通信ユニットは第１同期信号ブロックを受信するように構成され、前記第１同期信号ブロックにおける物理ブロードキャストチャネル（ＰＢＣＨ）が少なくとも１つの指示フィールドを含み、
前記少なくとも１つの指示フィールドが第１インデックスを搬送するために使用され、前記第１インデックスがＭ個のインデックスのうちの少なくとも１つを含み、前記インデックスが第２同期信号ブロックの周波数領域位置を示すために使用され、前記Ｍが１より大きい整数であり、
前記処理ユニットは前記第１指示フィールドから前記第２同期信号ブロックの周波数領域位置を取得するように構成されることを特徴とする、前記無線通信装置。
【請求項５３】
前記Ｍ個のインデックスがＱ個のインデックスを含み、前記Ｑ個のインデックスで示される周波数領域位置の周波数がいずれも前記第１同期信号ブロックの周波数領域位置の周波数より高く又はそれより低く、前記Ｑが１より大きいか等しい整数であり、且つＭより小さいか等しく、
前記Ｑ個のインデックスで示されるＱ個の周波数領域位置のうち、隣接する周波数領域位置との間隔が異なる周波数領域位置が少なくとも１つ存在することを特徴とする
請求項５２に記載の装置。
【請求項５４】
前記Ｑ個のインデックスがＮ個のインデックスセットに属し、各インデックスセットが１つの間隔に対応し、異なるインデックスセットに対応する間隔が異なり、前記Ｎが１より大きいか等しい整数であり、且つＱより小さいか等しく、
前記インデックスセットに対応する間隔が前記インデックスセットにおけるインデックスで示される周波数領域位置のうちの、隣接する２つの周波数領域位置の間隔であることを特徴とする
請求項５３に記載の装置。
【請求項５５】
前記インデックスセットにおけるインデックスで示される周波数領域位置が前記第１同期信号ブロックから遠く離れるほど、前記インデックスセットに対応する間隔が大きくなることを特徴とする
請求項５４に記載の装置。
【請求項５６】
前記Ｍ個のインデックスで示されるＭ個の周波数領域位置と前記第１同期信号ブロックの周波数領域位置とが同じ周波数帯に属することを特徴とする
請求項５２に記載の装置。
【請求項５７】
Ｍ＋１個の周波数領域位置に対応するＭ個の間隔が同じであり、前記Ｍ＋１個の周波数領域位置が前記Ｍ個のインデックスで示されるＭ個の周波数領域位置と前記第１同期信号ブロックの周波数領域位置とを含み、前記Ｍ個の間隔のそれぞれが前記Ｍ＋１個の周波数領域位置のうちの、隣接する２つの周波数領域位置の間隔であることを特徴とする
請求項５６に記載の装置。
【請求項５８】
前記第１同期信号ブロックが第１周波数帯に位置する場合、前記間隔が第１間隔であり、
前記第１同期信号ブロックが、前記第１周波数帯と異なる第２周波数帯に位置する場合、前記間隔が前記第１間隔に等しくない第２間隔であることを特徴とする
請求項５７に記載の装置。
【請求項５９】
前記Ｍ個の周波数領域位置に含まれる同期グリッドの数が同じであることを特徴とする
請求項５６に記載の装置。
【請求項６０】
前記第１同期信号ブロックが第１周波数帯に位置する場合、前記周波数領域位置に含まれる同期グリッドの数が第１数であり、
前記第１同期信号ブロックが、前記第１周波数帯と異なる第２周波数帯に位置する場合、前記周波数領域位置に含まれる同期グリッドの数が前記第１数に等しくない第２数であることを特徴とする
請求項５９に記載の装置。
【請求項６１】
前記インデックスで示される周波数領域位置が１つ又は複数の同期グリッドを占有することを特徴とする
請求項５２〜６０のいずれか１項に記載の装置。
【請求項６２】
前記Ｍ個のインデックスがＳ個のインデックスを含み、前記Ｓ個のインデックスで示される周波数領域位置の周波数がいずれも前記第１同期信号ブロックの周波数領域位置の周波数より高く又はそれより低く、前記Ｓが１より大きいか等しい整数であり、且つＭより小さいか等しく、
前記Ｓ個のインデックスで示されるＳ個の周波数領域位置のうち、少なくとも１つの周波数領域位置の占有した同期グリッド数がその隣接する周波数領域位置の占有した同期グリッド数と異なることを特徴とする
請求項５２に記載の装置。
【請求項６３】
前記Ｓ個のインデックスがＴ個のインデックスセットに属し、各インデックスセットが１つの同期グリッド数に対応し、異なるインデックスセットに対応する同期グリッド数が異なり、前記Ｔが１より大きいか等しい整数であり、且つＳより小さいか等しく、
前記インデックスセットに対応する同期グリッド数が前記インデックスセットにおけるインデックスで示される周波数領域位置のうちの各周波数領域位置の占有した同期グリッドの数であることを特徴とする
請求項６２に記載の装置。
【請求項６４】
前記インデックスセットにおけるインデックスで示される周波数領域位置が前記第１同期信号ブロックから遠く離れるほど、前記インデックスセットにおける対応する同期グリッド数が多いことを特徴とする
請求項６３に記載の装置。
【請求項６５】
前記インデックスは、前記第２同期信号ブロックと前記第１同期信号ブロックとの間の同期グリッドオフセットを示すことにより、前記第２同期信号ブロックの周波数領域位置を示すことを特徴とする
請求項６１〜６４のいずれか１項に記載の装置。
【請求項６６】
前記少なくとも１つの指示フィールドが第１指示フィールドを含み、前記第１指示フィールドが前記インデックスの情報又は残存最小システム情報（ＲＭＳＩ）に対応する制御チャネルのリソース情報を搬送するために使用され、前記処理ユニットは、更に、
前記第１指示フィールドが搬送するが前記ＲＭＳＩに対応する制御チャネルのリソース情報ではなく前記インデックスの少なくとも１ビットであると決定することを特徴とする
請求項５２〜６５のいずれか１項に記載の装置。
【請求項６７】
前記ＰＢＣＨが第２指示フィールドを更に含み、
前記第２指示フィールドが、関連するＲＭＳＩが前記第１同期信号ブロックに存在しないことを示すために使用される場合、前記第１指示フィールドには前記インデックスの少なくとも１ビットが搬送され、
前記第２指示フィールドが同期信号ブロック及び非同期信号ブロックのチャネル又は信号間の物理リソースブロック（ＰＲＢ）グリッドオフセットを示すために使用される場合、前記第１指示フィールドには前記ＲＭＳＩに対応する制御チャネルのリソース情報が搬送されることを特徴とする
請求項６６に記載の装置。
【請求項６８】
前記第２指示フィールドが、関連するＲＭＳＩが前記第１同期信号ブロックに存在しないことを示すために使用される場合、前記少なくとも１つの指示フィールドが前記第２指示フィールドを含み、
前記第２指示フィールドが更に前記第１インデックスのビットの一部を示すために使用され、
前記第１指示フィールドで示されるのが前記第１インデックスの別のビットであることを特徴とする
請求項６７に記載の装置。
【発明の詳細な説明】
【関連出願の相互参照】
【０００１】
本願は、２０１７年１２月６号に提出した発明の名称「無線通信方法及び装置」、中国特許出願第ＰＣＴ／ＣＮ２０１７／１１４８７６号のＰＣＴ特許出願の優先権を主張し、その全ての内容が援用により本願に取り込まれる。
【技術分野】
【０００２】
本願は通信分野に関し、より具体的に、無線通信方法及び装置に関する。
【背景技術】
【０００３】
新無線（ＮＲ：Ｎｅｗ  Ｒａｄｉｏ）システムにおいて、ネットワーク側は端末側へ同期信号ブロックを送信することができ、同期信号ブロックに物理ブロードキャストチャネル（ＰＢＣＨ：Ｐｈｙｓｉｃａｌ  Ｂｒｏａｄｃａｓｔｉｎｇ  Ｃｈａｎｎｅｌ）及び同期信号が含まれてもよく、同期信号がプライマリ同期信号（ＰＳＳ：Ｐｒｉｍａｒｙ  Ｓｙｎｃｈｒｏｎｉｚａｔｉｏｎ  Ｓｉｇｎａｌ）及びセカンダリ同期信号（ＳＳＳ：Ｓｅｃｏｎｄａｒｙ  Ｓｙｎｃｈｒｏｎｉｚａｔｉｏｎ  Ｓｉｇｎａｌ）を含んでもよい。
【０００４】
ＮＲシステムにおいて、より小さなビットオーバーヘッドを用いて、端末の処理複雑度を低減することが望まれる。
【０００５】
従って、同期信号ブロックの送信面でどのようにビットオーバーヘッド及び端末の処理複雑度を低減するかは解決すべき問題である。
【発明の概要】
【発明が解決しようとする課題】
【０００６】
本願の実施例は同期信号ブロックの送信面でビットオーバーヘッド及び端末の処理複雑度を低減することができる無線通信方法及び装置を提供する。
【課題を解決するための手段】
【０００７】
第１態様に係る無線通信方法であって、
第１同期信号ブロックに含まれる物理ブロードキャストチャネル（ＰＢＣＨ）における第１指示フィールドが同期信号ブロック及び非同期信号ブロックのチャネル又は信号間の物理リソースブロック（ＰＲＢ）グリッドオフセット、又は第２同期信号ブロックのリソース情報を示すために使用されると決定することと、
前記第１同期信号ブロックを送信し、前記第１指示フィールドが前記第２同期信号ブロックのリソース情報を示すために使用されると決定する場合、前記第１同期信号ブロックにおける第１指示フィールドが前記第２同期信号ブロックのリソース情報を示すことと、を含む。
【０００８】
従って、本願の実施例では、第１同期信号ブロックの指示フィールドは実際の応用状況に応じて、同期信号ブロック及び非同期信号ブロックのチャネル又は信号間の物理リソースブロック（ＰＲＢ：Ｐｈｙｓｉｃａｌ  Ｒｅｓｏｕｒｃｅ  Ｂｌｏｃｋ）グリッドオフセット、又は第２同期信号ブロックのリソース情報を示すために使用されてもよく、情報フィールドの多重化を実現することができ、シグナリングオーバーヘッドを低減することができ、且つ第２同期信号ブロックのリソース情報を示す場合、端末装置が他の同期信号ブロックをブラインド検出する複雑度を低減し、端末装置の電力消費を削減し、アクセス遅延を短縮することができる。
【０００９】
第１態様を参照して、第１態様の可能な実現方式では、前記第１指示フィールドが前記ＰＲＢグリッドオフセットを示すために使用されると決定する場合、前記第１同期信号ブロックにおける第１指示フィールドが前記ＰＲＢグリッドオフセットを示す。
【００１０】
第１態様又は上記いずれか１つの可能な実現方式を参照して、第１態様の他の可能な実現方式では、前記第１同期信号ブロックに含まれるＰＢＣＨは第２指示フィールドを更に含み、前記第２指示フィールドは前記第１指示フィールドが前記ＰＲＢグリッドオフセットそれとも前記第２同期信号ブロックのリソース情報を示すために使用されるかを示すために使用される。
【００１１】
第１態様又は上記いずれか１つの可能な実現方式を参照して、第１態様の他の可能な実現方式では、前記第１同期信号ブロックに含まれるＰＢＣＨが第２指示フィールドを更に含み、
前記第２指示フィールドが残存最小システム情報（ＲＭＳＩ）に対応する制御チャネルのリソース情報を示す場合、前記第１指示フィールドで示されるのが前記ＰＲＢグリッドオフセットである。
【００１２】
第１態様又は上記いずれか１つの可能な実現方式を参照して、第１態様の他の可能な実現方式では、前記第１同期信号ブロックに含まれるＰＢＣＨが第２指示フィールドを更に含み、
前記第２指示フィールドが、関連するＲＭＳＩが前記第１同期信号ブロックに存在しないことを示す場合、前記第１指示フィールドで示されるのが前記第２同期信号ブロックのリソース情報である。
【００１３】
第１態様又は上記いずれか１つの可能な実現方式を参照して、第１態様の他の可能な実現方式では、前記第２指示フィールドが更に前記第２同期信号ブロックのリソース情報のうちの情報の一部を示すために使用され、前記第１指示フィールドで示されるリソース情報が前記第２同期信号ブロックのリソース情報のうちの残りの情報である。
【００１４】
第１態様又は上記いずれか１つの可能な実現方式を参照して、第１態様の他の可能な実現方式では、前記第１同期信号ブロックに含まれるＰＢＣＨが第２指示フィールドを更に含み、
前記第２指示フィールドが前記第２同期信号ブロックのリソース情報のうちの情報の一部を示すために使用される場合、前記第１指示フィールドで示されるのが前記第２同期信号ブロックのリソース情報のうちの残りの情報である。
【００１５】
第１態様又は上記いずれか１つの可能な実現方式を参照して、第１態様の他の可能な実現方式では、前記リソース情報が前記第２同期信号ブロックの占有した絶対周波数領域位置の情報を含み、又は、
前記リソース情報が前記第１同期信号ブロックと前記第２同期信号ブロックとの間の相対周波数領域間隔の情報を含み、又は、
前記リソース情報が前記第２同期信号ブロックの占有した絶対周波数領域位置の属する周波数領域範囲の情報を含む。
【００１６】
第１態様又は上記いずれか１つの可能な実現方式を参照して、第１態様の他の可能な実現方式では、前記第２同期信号ブロックの可能な周波数領域位置のうち、隣接する２つの周波数領域位置との間隔が異なる周波数領域位置が少なくとも１つ存在する。
【００１７】
第２態様に係る無線通信方法であって、
第１同期信号ブロックを受信することと、
前記第１同期信号ブロックに含まれる物理ブロードキャストチャネル（ＰＢＣＨ）における第１指示フィールドで示されるのが同期信号ブロック及び非同期信号ブロックのチャネル又は信号間のＰＲＢグリッドオフセット、又は第２同期信号ブロックのリソース情報であると決定することと、
前記第１指示フィールドが前記第２同期信号ブロックのリソース情報を示す場合、前記第１指示フィールドから前記第２同期信号ブロックのリソース情報を取得することと、を含む。
【００１８】
従って、本願の実施例では、第１同期信号ブロックの指示フィールドは実際の応用状況に応じて、同期信号ブロック及び非同期信号ブロックのチャネル又は信号間の物理リソースブロック（ＰＲＢ：Ｐｈｙｓｉｃａｌ  Ｒｅｓｏｕｒｃｅ  Ｂｌｏｃｋ）グリッドオフセット、又は第２同期信号ブロックのリソース情報を示すために使用されてもよく、情報フィールドの多重化を実現することができ、シグナリングオーバーヘッドを低減することができ、且つ第２同期信号ブロックのリソース情報を示す場合、端末装置が他の同期信号ブロックをブラインド検出する複雑度を低減し、端末装置の電力消費を削減し、アクセス遅延を短縮することができる。
【００１９】
第２態様を参照して、第２態様の可能な実現方式では、前記方法は、
前記第２同期信号ブロックのリソース情報を取得した後、前記第２同期信号ブロックのリソース情報に基づいて前記第２同期信号ブロックを受信することを更に含む。
【００２０】
第２態様又は上記いずれか１つの可能な実現方式を参照して、第２態様の他の可能な実現方式では、前記方法は、
前記第１指示フィールドが前記ＰＲＢグリッドオフセットを示す場合、前記第１指示フィールドから前記ＰＲＢグリッドオフセットを取得することを更に含む。
【００２１】
第２態様又は上記いずれか１つの可能な実現方式を参照して、第２態様の他の可能な実現方式では、前記方法は、
前記ＰＲＢグリッドオフセットに基づいて制御チャネルの受信を行うことと、
受信された制御チャネルに基づいてＲＭＳＩを受信することと、を更に含む。
【００２２】
第２態様又は上記いずれか１つの可能な実現方式を参照して、第２態様の他の可能な実現方式では、前記第１同期信号ブロックにおける第１指示フィールドで示されるのが同期信号ブロック及び非同期信号ブロックのチャネル又は信号間のＰＲＢグリッドオフセット、又は第２同期信号ブロックのリソース情報であると決定することは、
前記第２同期信号ブロックに含まれるＰＢＣＨにおける第２指示フィールドに基づき、前記第１指示フィールドで示されるのが前記ＰＲＢグリッドオフセット又は前記リソース情報であると決定することを含む。
【００２３】
第２態様又は上記いずれか１つの可能な実現方式を参照して、第２態様の他の可能な実現方式では、前記第１同期信号ブロックに含まれるＰＢＣＨが第２指示フィールドを更に含み、
前記第２指示フィールドが残存最小システム情報（ＲＭＳＩ）に対応する制御チャネルのリソース情報を示す場合、前記第１指示フィールドで示されるのが前記ＰＲＢグリッドオフセットである。
【００２４】
第２態様又は上記いずれか１つの可能な実現方式を参照して、第２態様の他の可能な実現方式では、前記第１同期信号ブロックに含まれるＰＢＣＨが第２指示フィールドを更に含み、
前記第２指示フィールドが、関連するＲＭＳＩが前記第１同期信号ブロックに存在しないことを示す場合、前記第１指示フィールドで示されるのが前記第２同期信号ブロックのリソース情報である。
【００２５】
第２態様又は上記いずれか１つの可能な実現方式を参照して、第２態様の他の可能な実現方式では、前記第２指示フィールドが更に前記第２同期信号ブロックのリソース情報のうちの情報の一部を示すために使用され、前記第１指示フィールドで示されるリソース情報が前記第２同期信号ブロックのリソース情報のうちの残りの情報である。
【００２６】
第２態様又は上記いずれか１つの可能な実現方式を参照して、第２態様の他の可能な実現方式では、前記第１同期信号ブロックに含まれるＰＢＣＨが第２指示フィールドを更に含み、
前記第２指示フィールドが前記第２同期信号ブロックのリソース情報のうちの情報の一部を示すために使用される場合、前記第１指示フィールドで示されるのが前記第２同期信号ブロックのリソース情報のうちの残りの情報である。
【００２７】
第２態様又は上記いずれか１つの可能な実現方式を参照して、第２態様の他の可能な実現方式では、前記第２同期信号ブロックのリソース情報が前記第２同期信号ブロックの占有した絶対周波数領域位置の情報を含み、又は、
前記第２同期信号ブロックのリソース情報が前記第１同期信号ブロックと前記第２同期信号ブロックとの間の相対周波数領域間隔の情報を含み、又は、
前記第２同期信号ブロックのリソース情報が前記第２同期信号ブロックの占有した絶対周波数領域位置の属する周波数領域範囲の情報を含む。
【００２８】
第２態様又は上記いずれか１つの可能な実現方式を参照して、第２態様の他の可能な実現方式では、前記第２同期信号ブロックの可能な周波数領域位置のうち、隣接する２つの周波数領域位置との間隔が異なる周波数領域位置が少なくとも１つ存在する。
【００２９】
第３態様に係る無線通信方法であって、
第１同期信号ブロックを送信し、前記第１同期信号ブロックにおける物理ブロードキャストチャネル（ＰＢＣＨ）が少なくとも１つの指示フィールドを含むことを含み、
前記少なくとも１つの指示フィールドが第１インデックスを搬送するために使用され、前記第１インデックスがＭ個のインデックスのうちの少なくとも１つを含み、前記インデックスが第２同期信号ブロックの周波数領域位置を示すために使用され、前記Ｍが１より大きい整数である。
【００３０】
従って、本願の実施例では、第２同期信号ブロックの周波数領域位置を示すよう、ネットワーク装置は第１同期信号ブロックに含まれる少なくとも１つの指示フィールドにＭ個のインデックスのうちの少なくとも１つのインデックスを含ませ、それにより端末装置は該少なくとも１つのインデックスに基づいて該第２同期信号ブロックの周波数領域位置を取得することができる。
【００３１】
第３態様を参照して、第３態様の可能な実現方式では、前記Ｍ個のインデックスがＱ個のインデックスを含み、前記Ｑ個のインデックスで示される周波数領域位置の周波数がいずれも前記第１同期信号ブロックの周波数領域位置の周波数より高く又はそれより低く、前記Ｑが１より大きいか等しい整数であり、且つＭより小さいか等しく、
前記Ｑ個のインデックスで示されるＱ個の周波数領域位置のうち、隣接する周波数領域位置との間隔が異なる周波数領域位置が少なくとも１つ存在する。
【００３２】
第３態様又は上記いずれか１つの可能な実現方式を参照して、第３態様の他の可能な実現方式では、前記Ｑ個のインデックスがＮ個のインデックスセットに属し、各インデックスセットが１つの間隔に対応し、異なるインデックスセットに対応する間隔が異なり、前記Ｎが１より大きいか等しい整数であり、且つＱより小さいか等しく、
前記インデックスセットに対応する間隔が前記インデックスセットにおけるインデックスで示される周波数領域位置のうちの、隣接する２つの周波数領域位置の間隔である。
【００３３】
第３態様又は上記いずれか１つの可能な実現方式を参照して、第３態様の他の可能な実現方式では、前記インデックスセットにおけるインデックスで示される周波数領域位置が前記第１同期信号ブロックから遠く離れるほど、前記インデックスセットに対応する間隔が大きくなる。
【００３４】
第３態様又は上記いずれか１つの可能な実現方式を参照して、第３態様の他の可能な実現方式では、前記Ｍ個のインデックスで示されるＭ個の周波数領域位置と前記第１同期信号ブロックの周波数領域位置とが同じ周波数帯に属する。
【００３５】
第３態様又は上記いずれか１つの可能な実現方式を参照して、第３態様の他の可能な実現方式では、Ｍ＋１個の周波数領域位置に対応するＭ個の間隔が同じであり、前記Ｍ＋１個の周波数領域位置が前記Ｍ個のインデックスで示されるＭ個の周波数領域位置と前記第１同期信号ブロックの周波数領域位置とを含み、前記Ｍ個の間隔のそれぞれが前記Ｍ＋１個の周波数領域位置のうちの、隣接する２つの周波数領域位置の間隔である。
【００３６】
第３態様又は上記いずれか１つの可能な実現方式を参照して、第３態様の他の可能な実現方式では、前記第１同期信号ブロックが第１周波数帯に位置する場合、前記間隔が第１間隔であり、
前記第１同期信号ブロックが、前記第１周波数帯と異なる第２周波数帯に位置する場合、前記間隔が前記第１間隔に等しくない第２間隔である。
【００３７】
第３態様又は上記いずれか１つの可能な実現方式を参照して、第３態様の他の可能な実現方式では、前記インデックスで示される周波数領域位置が１つ又は複数の同期グリッドを占有する。
【００３８】
第３態様又は上記いずれか１つの可能な実現方式を参照して、第３態様の他の可能な実現方式では、前記Ｍ個のインデックスがＳ個のインデックスを含み、前記Ｓ個のインデックスで示される周波数領域位置の周波数がいずれも前記第１同期信号ブロックの周波数領域位置の周波数より高く又はそれより低く、前記Ｓが１より大きいか等しい整数であり、且つＭより小さいか等しく、
前記Ｓ個のインデックスで示されるＳ個の周波数領域位置のうちの少なくとも１つの周波数領域位置の占有した同期グリッド数がその隣接する周波数領域位置の占有した同期グリッド数と異なる。
【００３９】
第３態様又は上記いずれか１つの可能な実現方式を参照して、第３態様の他の可能な実現方式では、前記Ｓ個のインデックスがＴ個のインデックスセットに属し、各インデックスセットが１つの同期グリッド数に対応し、異なるインデックスセットに対応する同期グリッド数が異なり、前記Ｔが１より大きいか等しい整数であり、且つＳより小さいか等しく、
前記インデックスセットに対応する同期グリッド数が前記インデックスセットにおけるインデックスで示される周波数領域位置のうちの各周波数領域位置の占有した同期グリッドの数である。
【００４０】
第３態様又は上記いずれか１つの可能な実現方式を参照して、第３態様の他の可能な実現方式では、前記インデックスセットにおけるインデックスで示される周波数領域位置が前記第１同期信号ブロックから遠く離れるほど、前記インデックスセットにおける対応する同期グリッド数が多い。
【００４１】
第３態様又は上記いずれか１つの可能な実現方式を参照して、第３態様の他の可能な実現方式では、前記インデックスは、前記第２同期信号ブロックと前記第１同期信号ブロックとの間の同期グリッドオフセットを示すことにより、前記第２同期信号ブロックの周波数領域位置を示す。
【００４２】
第３態様又は上記いずれか１つの可能な実現方式を参照して、第３態様の他の可能な実現方式では、前記少なくとも１つの指示フィールドが第１指示フィールドを含み、前記第１指示フィールドが前記インデックスの情報又は残存最小システム情報（ＲＭＳＩ）に対応する制御チャネルのリソース情報を搬送するために使用され、前記方法は、
前記第１指示フィールドが前記ＲＭＳＩに対応する制御チャネルのリソース情報ではなく前記インデックスの少なくとも１ビットを搬送する必要があると決定することを更に含む。
【００４３】
第３態様又は上記いずれか１つの可能な実現方式を参照して、第３態様の他の可能な実現方式では、前記ＰＢＣＨが第２指示フィールドを更に含み、
前記第２指示フィールドが、関連するＲＭＳＩが前記第１同期信号ブロックに存在しないことを示すために使用される場合、前記第１指示フィールドには前記インデックスの少なくとも１ビットが搬送され、
前記第２指示フィールドが同期信号ブロック及び非同期信号ブロックのチャネル又は信号間の物理リソースブロック（ＰＲＢ）グリッドオフセットを示すために使用される場合、前記第１指示フィールドには前記ＲＭＳＩに対応する制御チャネルのリソース情報が搬送される。
【００４４】
第３態様又は上記いずれか１つの可能な実現方式を参照して、第３態様の他の可能な実現方式では、前記第２指示フィールドが、関連するＲＭＳＩが前記第１同期信号ブロックに存在しないことを示すために使用される場合、前記少なくとも１つの指示フィールドが前記第２指示フィールドを含み、
前記第２指示フィールドが更に前記第１インデックスのビットの一部を示すために使用され、
前記第１指示フィールドで示されるのが前記第１インデックスの別のビットである。
【００４５】
第４態様に係る無線通信方法であって、
第１同期信号ブロックを受信し、前記第１同期信号ブロックにおける物理ブロードキャストチャネル（ＰＢＣＨ）が少なくとも１つの指示フィールドを含むことと、
前記第１指示フィールドから前記第２同期信号ブロックの周波数領域位置を取得することと、を含み、
前記少なくとも１つの指示フィールドが第１インデックスを搬送するために使用され、前記第１インデックスがＭ個のインデックスのうちの少なくとも１つを含み、前記インデックスが第２同期信号ブロックの周波数領域位置を示すために使用され、前記Ｍが１より大きい整数である。
【００４６】
従って、本願の実施例では、第２同期信号ブロックの周波数領域位置を示すよう、ネットワーク装置は第１同期信号ブロックに含まれる少なくとも１つの指示フィールドにＭ個のインデックスのうちの少なくとも１つのインデックスを含ませ、それにより端末装置は該少なくとも１つのインデックスに基づいて該第２同期信号ブロックの周波数領域位置を取得することができる。
【００４７】
第４態様を参照して、第４態様の可能な実現方式では、前記Ｍ個のインデックスがＱ個のインデックスを含み、前記Ｑ個のインデックスで示される周波数領域位置の周波数がいずれも前記第１同期信号ブロックの周波数領域位置の周波数より高く又はそれより低く、前記Ｑが１より大きいか等しい整数であり、且つＭより小さいか等しく、
前記Ｑ個のインデックスで示されるＱ個の周波数領域位置のうち、隣接する周波数領域位置との間隔が異なる周波数領域位置が少なくとも１つ存在する。
【００４８】
第４態様又は上記いずれか１つの可能な実現方式を参照して、第４態様の他の可能な実現方式では、前記Ｑ個のインデックスがＮ個のインデックスセットに属し、各インデックスセットが１つの間隔に対応し、異なるインデックスセットに対応する間隔が異なり、前記Ｎが１より大きいか等しい整数であり、且つＱより小さいか等しく、
前記インデックスセットに対応する間隔が前記インデックスセットにおけるインデックスで示される周波数領域位置のうちの、隣接する２つの周波数領域位置の間隔である。
【００４９】
第４態様又は上記いずれか１つの可能な実現方式を参照して、第４態様の他の可能な実現方式では、前記インデックスセットにおけるインデックスで示される周波数領域位置が前記第１同期信号ブロックから遠く離れるほど、前記インデックスセットに対応する間隔が大きくなる。
【００５０】
第４態様又は上記いずれか１つの可能な実現方式を参照して、第４態様の他の可能な実現方式では、前記Ｍ個のインデックスで示されるＭ個の周波数領域位置と前記第１同期信号ブロックの周波数領域位置とが同じ周波数帯に属する。
【００５１】
第４態様又は上記いずれか１つの可能な実現方式を参照して、第４態様の他の可能な実現方式では、Ｍ＋１個の周波数領域位置に対応するＭ個の間隔が同じであり、前記Ｍ＋１個の周波数領域位置が前記Ｍ個のインデックスで示されるＭ個の周波数領域位置と前記第１同期信号ブロックの周波数領域位置とを含み、前記Ｍ個の間隔のそれぞれが前記Ｍ＋１個の周波数領域位置のうちの、隣接する２つの周波数領域位置の間隔である。
【００５２】
第４態様又は上記いずれか１つの可能な実現方式を参照して、第４態様の他の可能な実現方式では、前記第１同期信号ブロックが第１周波数帯に位置する場合、前記間隔が第１間隔であり、
前記第１同期信号ブロックが、前記第１周波数帯と異なる第２周波数帯に位置する場合、前記間隔が前記第１間隔に等しくない第２間隔である。
【００５３】
第４態様又は上記いずれか１つの可能な実現方式を参照して、第４態様の他の可能な実現方式では、前記インデックスで示される周波数領域位置が１つ又は複数の同期グリッドを占有する。
【００５４】
第４態様又は上記いずれか１つの可能な実現方式を参照して、第４態様の他の可能な実現方式では、前記Ｍ個のインデックスがＳ個のインデックスを含み、前記Ｓ個のインデックスで示される周波数領域位置の周波数がいずれも前記第１同期信号ブロックの周波数領域位置の周波数より高く又はそれより低く、前記Ｓが１より大きいか等しい整数であり、且つＭより小さいか等しく、
前記Ｓ個のインデックスで示されるＳ個の周波数領域位置のうちの少なくとも１つの周波数領域位置の占有した同期グリッド数がその隣接する周波数領域位置の占有した同期グリッド数と異なる。
【００５５】
第４態様又は上記いずれか１つの可能な実現方式を参照して、第４態様の他の可能な実現方式では、前記Ｓ個のインデックスがＴ個のインデックスセットに属し、各インデックスセットが１つの同期グリッド数に対応し、異なるインデックスセットに対応する同期グリッド数が異なり、前記Ｔが１より大きいか等しい整数であり、且つＳより小さいか等しく、
前記インデックスセットに対応する同期グリッド数が前記インデックスセットにおけるインデックスで示される周波数領域位置のうちの各周波数領域位置の占有した同期グリッドの数である。
【００５６】
第４態様又は上記いずれか１つの可能な実現方式を参照して、第４態様の他の可能な実現方式では、前記インデックスセットにおけるインデックスで示される周波数領域位置が前記第１同期信号ブロックから遠く離れるほど、前記インデックスセットにおける対応する同期グリッド数が多い。
【００５７】
第４態様又は上記いずれか１つの可能な実現方式を参照して、第４態様の他の可能な実現方式では、前記インデックスは、前記第２同期信号ブロックと前記第１同期信号ブロックとの間の同期グリッドオフセットを示すことにより、前記第２同期信号ブロックの周波数領域位置を示す。
【００５８】
第４態様又は上記いずれか１つの可能な実現方式を参照して、第４態様の他の可能な実現方式では、前記少なくとも１つの指示フィールドが第１指示フィールドを含み、前記第１指示フィールドが前記インデックスの情報又は残存最小システム情報（ＲＭＳＩ）に対応する制御チャネルのリソース情報を搬送するために使用され、前記方法は、
前記第１指示フィールドが搬送するのが前記ＲＭＳＩに対応する制御チャネルのリソース情報ではなく前記インデックスの少なくとも１ビットであると決定することを更に含む。
【００５９】
第４態様又は上記いずれか１つの可能な実現方式を参照して、第４態様の他の可能な実現方式では、前記ＰＢＣＨが第２指示フィールドを更に含み、
前記第２指示フィールドが、関連するＲＭＳＩが前記第１同期信号ブロックに存在しないことを示すために使用される場合、前記第１指示フィールドには前記インデックスの少なくとも１ビットが搬送され、
前記第２指示フィールドが同期信号ブロック及び非同期信号ブロックのチャネル又は信号間の物理リソースブロック（ＰＲＢ）グリッドオフセットを示すために使用される場合、前記第１指示フィールドには前記ＲＭＳＩに対応する制御チャネルのリソース情報が搬送される。
【００６０】
第４態様又は上記いずれか１つの可能な実現方式を参照して、第４態様の他の可能な実現方式では、前記第２指示フィールドが、関連するＲＭＳＩが前記第１同期信号ブロックに存在しないことを示すために使用される場合、前記少なくとも１つの指示フィールドが前記第２指示フィールドを含み、
前記第２指示フィールドが更に前記第１インデックスのビットの一部を示すために使用され、
前記第１指示フィールドで示されるのが前記第１インデックスの別のビットである。
【００６１】
第５態様に係るネットワーク装置であって、上記第１態様又は第１態様のいずれか１つの可能な実現方式における方法を実行するために使用される。具体的に、該ネットワーク装置は上記第１態様又は第１態様のいずれか１つの可能な実現方式又は上記第３態様又は第３態様のいずれか１つの可能な実現方式における方法を実行するように構成されるユニットを備える。
【００６２】
第６態様に係る端末装置であって、上記第２態様又は第２態様のいずれか１つの可能な実現方式における方法を実行するために使用される。具体的に、該ネットワーク装置は上記第２態様又は第２態様のいずれか１つの可能な実現方式又は上記第４態様又は第４態様のいずれか１つの可能な実現方式における方法を実行するように構成されるユニットを備える。
【００６３】
第７態様に係るネットワーク装置であって、該ネットワーク装置はメモリ、プロセッサ、入力インターフェース及び出力インターフェースを備える。メモリ、プロセッサ、入力インターフェース及び出力インターフェースがバスシステムによって接続される。該メモリは命令を記憶するために使用され、該プロセッサは該メモリに記憶される命令を実行するために使用され、上記第１態様又は第１態様のいずれか１つの可能な実現方式又は上記第３態様又は第３態様のいずれか１つの可能な実現方式における方法を実行するために使用される。
【００６４】
第８態様に係る端末装置であって、該端末装置はメモリ、プロセッサ、入力インターフェース及び出力インターフェースを備える。メモリ、プロセッサ、入力インターフェース及び出力インターフェースがバスシステムによって接続される。該メモリは命令を記憶するために使用され、該プロセッサは該メモリに記憶される命令を実行するために使用され、上記第２態様又は第２態様のいずれか１つの可能な実現方式又は上記第４態様又は第４態様のいずれか１つの可能な実現方式における方法を実行するために使用される。
【００６５】
第９態様に係るコンピュータ記憶媒体であって、上記いずれか１つの態様又はいずれか１つの態様のいずれか１つの可能な実現方式における方法を実行するために用いた、上記態様を実行するために設計したプログラムを含むコンピュータソフトウェア命令を記憶するために使用される。
【００６６】
第１０態様に係る命令を含むコンピュータプログラム製品であって、コンピュータにおいて実行されるとき、コンピュータが上記いずれか１つの態様又はいずれか１つの態様のいずれか１つの可能な実現方式における方法を実行する。
【図面の簡単な説明】
【００６７】
【図１】本願の実施例に係る無線通信システムの模式図である。
【図２】本願の実施例に係る無線通信方法のフローチャートである。
【図３】本願の実施例に係る第１指示フィールドが他の同期信号ブロックを示す模式図。
【図４】本願の実施例に係るマルチビームで信号又はチャネルを送信する模式図である。
【図５】本願の実施例に係る同期信号ブロックにおける信号又はチャネルの時間領域における分布の模式図である。
【図６】本願の実施例に係るチャネル又は信号の多重化方式の模式図である。
【図７】本願の実施例に係るチャネル又は信号の多重化方式の模式図である。
【図８】本願の実施例に係るチャネル又は信号の多重化方式の模式図である。
【図９】本願の実施例に係る無線通信方法のフローチャートである。
【図１０】本願の実施例に係る無線通信方法のフローチャートである。
【図１１】本願の実施例に係るネットワーク装置のブロック図である。
【図１２】本願の実施例に係る端末装置のブロック図である。
【図１３】本願の実施例に係るシステムチップのブロック図である。
【図１４】本願の実施例に係る通信装置のブロック図である。
【発明を実施するための形態】
【００６８】
以下、本願の実施例の図面を参照しながら本願の実施例の技術案を説明する。
【００６９】
本願の実施例の技術案は様々な通信システム、例えばモバイル通信用グローバル（ＧＳＭ：Ｇｌｏｂａｌ  Ｓｙｓｔｅｍ  ｏｆ  Ｍｏｂｉｌｅ  ｃｏｍｍｕｎｉｃａｔｉｏｎ）システム、符号分割多元接続（ＣＤＭＡ：Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、ロングタームエボリューション（ＬＴＥ：Ｌｏｎｇ  Ｔｅｒｍ  Ｅｖｏｌｕｔｉｏｎ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割複信（ＴＤＤ：Ｔｉｍｅ  Ｄｉｖｉｓｉｏｎ  Ｄｕｐｌｅｘ）システム、ユニバーサルモバイルテレコミュニケーションズシステム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、マイクロ波利用アクセスに関する世界的な相互運用（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム又は将来の５Ｇシステム等に適用されてもよい。
【００７０】
図１には本願の実施例に適用される無線通信システム１００を示す。該無線通信システム１００はネットワーク装置１１０を備えてもよい。ネットワーク装置１００は端末装置と通信する装置であってもよい。ネットワーク装置１００は特定の地理的領域に通信カバレッジを提供することができ、且つ該カバレッジ領域内の端末装置（例えば、ＵＥ）と通信することができる。好ましくは、該ネットワーク装置１００はＧＳＭシステム又はＣＤＭＡシステムにおける基地局（ＢＴＳ：Ｂａｓｅ  Ｔｒａｎｓｃｅｉｖｅｒ  Ｓｔａｔｉｏｎ）であってもよく、ＷＣＤＭＡシステムにおける基地局（ＮＢ：ＮｏｄｅＢ）であってもよく、ＬＴＥシステムにおける発展型基地局（ｅＮＢ又はｅＮｏｄｅＢ：Ｅｖｏｌｕｔｉｏｎａｌ  Ｎｏｄｅ  Ｂ）であってもよく、又はクラウド無線アクセスネットワーク（ＣＲＡＮ：Ｃｌｏｕｄ  Ｒａｄｉｏ  Ａｃｃｅｓｓ  Ｎｅｔｗｏｒｋ）における無線制御装置であってもよく、又は、該ネットワーク装置は中継所、アクセスポイント、車載装置、ウェアラブル端末、将来の５Ｇネットワークにおけるネットワーク側装置又は将来発展する公衆陸上移動網（ＰＬＭＮ：Ｐｕｂｌｉｃ  Ｌａｎｄ  Ｍｏｂｉｌｅ  Ｎｅｔｗｏｒｋ）におけるネットワーク装置等であってもよい。
【００７１】
該無線通信システム１００は更にネットワーク装置１１０のカバレッジ範囲内の少なくとも１つの端末装置１２０を備える。端末装置１２０は可動又は固定であってもよい。好ましくは、端末装置１２０はアクセス端末、ユーザー装置（ＵＥ：Ｕｓｅｒ  Ｅｑｕｉｐｍｅｎｔ）、ユーザー要素、加入者局、移動局、トラバーサー、遠隔局、遠隔端末、モバイルデバイス、ユーザー端末、端末、無線通信装置、ユーザーエージェント又はユーザーデバイスを指してもよい。アクセス端末は携帯電話、コードレスホン、セッション確立プロトコル（ＳＩＰ：Ｓｅｓｓｉｏｎ  Ｉｎｉｔｉａｔｉｏｎ  Ｐｒｏｔｏｃｏｌ）電話、ワイヤレスローカルループ（ＷＬＬ：Ｗｉｒｅｌｅｓｓ  Ｌｏｃａｌ  Ｌｏｏｐ）局、パーソナルデジタルアシスタント（ＰＤＡ：Ｐｅｒｓｏｎａｌ  Ｄｉｇｉｔａｌ  Ａｓｓｉｓｔａｎｔ）、無線通信機能を有する携帯端末、コンピューティングデバイス又は無線モデムに接続される他の処理装置、車載装置、ウェアラブル端末、将来の５Ｇネットワークにおける端末装置又は将来発展するＰＬＭＮにおける端末装置等であってもよい。
【００７２】
好ましくは、端末装置１２０同士が装置対装置（Ｄ２Ｄ：Ｄｅｖｉｃｅ  ｔｏ  Ｄｅｖｉｃｅ）通信を行うことができる。
【００７３】
好ましくは、５Ｇシステム又はネットワークが更に新無線（ＮＲ：Ｎｅｗ  Ｒａｄｉｏ）システム又はネットワークと称されてもよい。
【００７４】
図１には１つのネットワーク装置及び２つの端末装置を例示的に示し、好ましくは、該無線通信システム１００は複数のネットワーク装置を備えてもよく、且つ各ネットワーク装置のカバレッジ範囲内には他の数の端末装置が含まれてもよく、本願の実施例は制限しない。
【００７５】
無線通信システム１００において、端末装置はアップリンクデータ伝送のためのアンテナアレイブロックが１つ又は複数あってもよく、各アンテナアレイブロックが独立した無線周波数チャネルを有する。１つの復調用参照信号（ＤＭＲＳ：Ｄｅｍｏｄｕｌａｔｉｏｎ  Ｒｅｆｅｒｅｎｃｅ  Ｓｉｇｎａｌ）ポートグループが１つのアンテナアレイブロックに対応し、端末装置は１つのアンテナアレイブロックの伝送パラメータを決定した後、このアンテナアレイブロックにおいて対応するＤＭＲＳポートグループにおけるデータを伝送してもよい。
【００７６】
好ましくは、該無線通信システム１００は更にネットワーク制御装置、モビリティ管理エンティティ等の他のネットワークエンティティを備えてもよく、本願の実施例は制限しない。
【００７７】
理解されるべきように、本明細書では、本明細書における用語「システム」と「ネットワーク」は常に交換可能に使用される。本明細書における用語「及び／又は」は関連オブジェクトの関連関係を説明するためのものに過ぎず、３つの関係が存在してもよいことを示し、例えば、「Ａ及び／又はＢ」は「Ａが独立して存在する」「ＡとＢが同時に存在する」「Ｂが独立して存在する」の３つの状況を示してもよい。また、本明細書における文字「／」は一般的に前後関連オブジェクトが「又は」関係であることを示す。
【００７８】
図２は本願の実施例に係る無線通信方法２００のフローチャートである。図２に示すように、該方法２００は以下の少なくとも一部を含む。
【００７９】
ステップ２１０において、ネットワーク装置は第１同期信号ブロックに含まれる物理ブロードキャストチャネル（ＰＢＣＨ）における第１指示フィールドが同期信号ブロック及び非同期信号ブロックのチャネル又は信号間の物理リソースブロック（ＰＲＢ：Ｐｈｙｓｉｃａｌ  Ｒｅｓｏｕｒｃｅ  Ｂｌｏｃｋ）グリッドオフセット、又は第２同期信号ブロックのリソース情報を示すために使用されると決定する。
【００８０】
具体的に、同期信号ブロックに含まれるＰＢＣＨにおける第１指示フィールドは同期信号ブロック及び非同期信号ブロックのチャネル又は信号間のＰＲＢグリッドオフセット、又は他の同期信号ブロックのリソース情報を示すために使用されてもよく、そうすると同期信号ブロックを送信するとき、該第１指示フィールドが該ＰＲＢグリッドオフセットそれとも他の同期信号ブロックのリソース情報を示すために使用されるかを決定する必要がある。
【００８１】
本願を理解しやすくするために、以下に同期信号ブロック及び非同期信号ブロックのチャネル又は信号間のＰＲＢグリッドオフセットを説明する。
【００８２】
具体的に、帯域幅内の周波数リソースはリソースブロック（ＲＢ：Ｒｅｓｏｕｒｃｅ  Ｂｌｏｃｋ）単位で区分されてもよく、各ＲＢが１２個のサブキャリアを含んでもよい。しかしながら、同期信号ブロックのＲＢ区分と他のチャネル又は信号のＲＢ区分とが一致しなくてもよく、例えば、１つのＲＢの開始サブキャリアは一致せずに１つのオフセット（ｏｆｆｓｅｔ）があってもよい。従って、ＰＢＣＨにおける指示フィールドによってＲＢ間の偏差を示してもよい。
【００８３】
例えば、４ビットでＲＢ間のオフセットが０〜１１個の同期信号ブロックであるリソース要素（ＲＥ：Ｒｅｓｏｕｒｃｅ  Ｅｌｅｍｅｎｔ）を示してもよい。又は、５ビットでＲＢ間のオフセット（ｏｆｆｓｅｔ）が０〜２３個の同期信号ブロックであるＲＥを示す。
【００８４】
理解されるべきように、本願の実施例に言及したＰＲＢグリッドオフセットが他の名称と称されてもよく、本願の実施例は具体的に制限しない。
【００８５】
好ましくは、第１指示フィールドで示される第２同期信号ブロックのリソース情報は第２同期信号ブロックのリソース情報のうちのすべての情報であってもよいし、情報の一部であってもよい。
【００８６】
好ましくは、本願の実施例の非同期信号ブロックのチャネル又は信号は例えば物理ダウンリンク制御チャネル（Ｐｈｙｓｉｃａｌ  Ｄｏｗｎｌｉｎｋ  Ｃｏｎｔｒｏｌ  Ｃｈａｎｎｅｌ）又は物理ダウンリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）であってもよい。
【００８７】
ステップ２２０において、ネットワーク装置が該第１同期信号ブロックを送信し、該第１指示フィールドが該リソース情報を示すために使用されると決定する場合、送信された該第１同期信号ブロックに含まれるＰＢＣＨにおける第１指示フィールドが該リソース情報を示す。
【００８８】
具体的に、ネットワーク装置は第１指示フィールドが他の同期信号ブロックのリソース情報を示すべきであると決定する場合、該第１指示フィールドに該他の同期信号ブロックのリソース情報を含ませて同期信号ブロックの送信を行ってもよい。
【００８９】
例えば、図３に示すように、関連するＲＭＳＩを有しない同期信号ブロック（ＳＳＢ：ｓｙｎｃｈｒｏｎｏｕｓ  ｓｉｇｎａｌ  ｂｌｏｃｋ）であるＳＳＢ１におけるＰＢＣＨの第１指示フィールドにおいて、関連するＲＭＳＩを有するＳＳＢ２のリソース情報、関連するＲＭＳＩを有するＳＳＢ３のリソース情報又は関連するＲＭＳＩを有するＳＳＢ４のリソース情報を示してもよい。
【００９０】
好ましくは、関連するＲＭＳＩを有しないＳＳＢとは該ＳＳＢには該ＲＭＳＩをスケジューリングするための制御チャネルのリソース情報が含まれないことを意味する。
【００９１】
好ましくは、該第２同期信号ブロックのリソース情報が該同期信号ブロックの占有した周波数領域リソースの情報であってもよい。
【００９２】
例えば、該リソース情報が該第２同期信号ブロックの占有した絶対周波数領域位置の情報を含んでもよく、又は、
該リソース情報が該第１同期信号ブロックと該第２同期信号ブロックとの間の相対周波数領域間隔の情報を含み、又は、
該リソース情報が該第２同期信号ブロックの占有した絶対周波数領域位置の属する周波数領域範囲の情報を含む。
【００９３】
好ましくは、前記第２同期信号ブロックの可能な周波数領域位置のうち、各周波数領域位置と隣接する２つの周波数領域位置との間隔が異なる周波数領域位置が少なくとも１つ存在する。
【００９４】
具体的に、第１同期信号ブロックは他の同期信号ブロックのリソース情報のビット（例えば、本願の第１指示フィールド、又は、第１指示フィールド及び第２指示フィールド）の数が限られた可能性があることを示すために使用されてもよいため、第１同期信号ブロックで示すことができる周波数領域位置（前記第２同期信号ブロックの可能な周波数領域位置）の分布が均一でなくてもよく、例えば、周波数領域において、第１同期信号ブロックに近ければ近いほど、示すことができる周波数領域位置の分布が密になり、第１同期信号ブロックから遠く離れるほど、示すことができる周波数領域位置の分布が疎になり、このとき、示すことができる周波数領域位置のうち、各周波数領域位置と隣接する２つの周波数領域位置との間隔が異なる周波数領域位置が少なくとも１つ存在する。
【００９５】
好ましくは、該第１指示フィールドが該ＰＲＢグリッドオフセットを示すために使用されると決定する場合、送信された該第１同期信号ブロックに含まれるＰＢＣＨにおける第１指示フィールドが該ＰＲＢグリッドオフセットを示す。
【００９６】
具体的に、ネットワーク装置は第１指示フィールドがＰＲＢグリッドオフセットを示すべきであると決定する場合、該第１指示フィールドには該ＰＲＢグリッドオフセットを示す情報を含ませて同期信号ブロックの送信を行ってもよい。
【００９７】
この場合、ネットワーク装置は制御チャネルを送信してもよく、該制御チャネルと第１同期信号との間のグリッドオフセットが該第１指示フィールドで示されるグリッドオフセットであり、該制御チャネルが残存最小システム情報（ＲＭＳＩ）をスケジューリングするために使用される。
【００９８】
好ましくは、本願の実施例の同期信号ブロック、例えば第１同期信号ブロック又は第２同期信号ブロックはマルチビーム方式で送信されてもよい。
【００９９】
具体的に、ＮＲシステムにおいて、用いた周波数帯がＬＴＥより高いため、無線信号を伝送する経路損失が大きくなり、無線信号のカバレッジが狭くなる。このとき、経路損失を補うよう、ネットワーク装置はマルチアンテナシステムによってビームフォーミング（ｂｅａｍｆｏｒｍｉｎｇ）技術でビームを形成することで、無線信号のゲインを向上させることができ、これは実現可能な方法である。ビームは指向性を有し、１つの狭いビームがセルの領域の一部をカバレッジできるが、セルにおける全ての端末装置をカバレッジできない。例えば、図４に示すように、ネットワーク側は４つの異なる方向のビーム（すなわち、Ｂ１、Ｂ２、Ｂ３及びＢ４）を介して信号を送信してもよく、例えば、ビームＢ２はＵＥ１のみをカバレッジできるが、ＵＥ２をカバレッジできない。
【０１００】
ＮＲシステムにおける共通チャネル又は信号は同期信号及びブロードキャストチャネルの同期信号ブロックを含み、マルチビーム走査方式でセル全体をカバレッジすることができ、セル内のＵＥが受信することに役立つ。同期信号ブロックがマルチビームで送信されるとき、同期信号バースト集合（ＳＳ  ｂｕｒｓｔ  ｓｅｔ：Ｓｙｎｃｈｒｏｎｉｚａｔｉｏｎ  Ｓｉｇｎａｌ  ｂｕｒｓｔ  ｓｅｔ）を定義することで実現される。１つのＳＳ  ｂｕｒｓｔ  ｓｅｔは１つ又は複数のＳＳ  ｂｕｒｓｔを含み、１つのＳＳ  ｂｕｒｓｔは１つ又は複数のＳＳ  ｂｌｏｃｋを含む。１つのＳＳ  ｂｌｏｃｋは１つのビームの同期信号及びブロードキャストチャネルを搬送するために使用される。従って、１つのＳＳ  ｂｕｒｓｔ  ｓｅｔはセル内のＳＳ  ｂｌｏｃｋ  ｎｕｍｂｅｒ個のビームの同期信号を含んでもよい。１つのＳＳ  ｂｌｏｃｋには１つのシンボルのＰＳＳ、１つのシンボルのＳＳＳ及び２つのシンボルのＰＢＣＨが含まれてもよく、例えば、図５に示される。
【０１０１】
ＳＳ  ｂｕｒｓｔ  ｓｅｔが周期的に設定されてもよく、且つ１周期内に送信したＳＳ  ｂｕｒｓｔ  ｓｅｔベアラが５ｍｓの時間窓内に送信されてもよい。１５ｋＨｚサブキャリア間隔を例とすれば、１つのスロット（ｓｌｏｔ）は１４個のシンボル（ｓｙｍｂｏｌ）を含み、２つのＳＳ  ｂｌｏｃｋを搬送してもよい。
【０１０２】
好ましくは、同期信号及びＰＢＣＨがマルチビームで走査される必要があるほか、他のいくつかの共通情報、例えば残存最小システム情報（ＲＭＳＩ：Ｒｅｍａｉｎｉｎｇ  ｍｉｎｉｍｕｍ  ｓｙｓｔｅｍ  ｉｎｆｏｒｍａｔｉｏｎ）、ページング（ｐａｇｉｎｇ）がマルチビーム走査方式で送信されてもよい。
【０１０３】
好ましくは、該第１同期信号ブロックに含まれるＰＢＣＨは更に第２指示フィールドを含み、該第２指示フィールドは該第１指示フィールドが該ＰＲＢグリッドオフセットそれとも該第２同期信号ブロックのリソース情報を示すために使用されるかを示すために使用される。
【０１０４】
該第２指示フィールドは該第１指示フィールドが該ＰＲＢグリッドオフセットそれとも該第２同期信号ブロックのリソース情報を示すために使用されるかを明示的に示してもよく、例えば、該第２指示フィールドは１ビットの情報を含んでもよく、第２指示フィールドにおけるビットの値が１である場合、第１指示フィールドがＰＲＢラスタを示すために使用されることを示し、第２指示フィールドにおけるビットの値が０である場合、第１指示フィールドが他の同期信号ブロックのリソース情報を示すために使用されることを示す。
【０１０５】
無論、該第２指示フィールドは該第１指示フィールドが該ＰＲＢグリッドオフセットそれとも該第２同期信号ブロックのリソース情報を示すために使用されるかを暗示的に示してもよい。本願の実施例は具体的に制限しない。
【０１０６】
好ましくは、該第１同期信号ブロックに含まれるＰＢＣＨが更に第２指示フィールドを含んで、該第２指示フィールドがＲＭＳＩに対応する制御チャネルのリソース情報を示す場合、該第１指示フィールドで示されるのが該ＰＲＢグリッドオフセットである。
【０１０７】
具体的に、第２指示フィールドがＲＭＳＩに対応する制御チャネルのリソース情報を示す場合、該第１同期信号ブロックには関連するＲＭＳＩがあると示されるので、ＲＭＳＩの受信を実現するために、第１指示フィールドにはＰＲＢグリッドオフセットを示すための情報を含ませてもよい。
【０１０８】
好ましくは、該第１同期信号ブロックに含まれるＰＢＣＨが更に第２指示フィールドを含み、該第２指示フィールドが該第１同期信号ブロックには関連するＲＭＳＩがないことを示す場合、該第１指示フィールドで示されるのが該リソース情報である。
【０１０９】
具体的に、端末装置はネットワークにアクセスする必要がある場合、ネットワークからシステムメッセージを取得する必要があり、その一部がＰＢＣＨに含まれており、残りがＰＤＳＣＨに含まれており、ＰＤＳＣＨに含まれるシステムメッセージがＲＭＳＩを含む。ＰＤＳＣＨに対応するＤＣＩがＮＲ−ＰＤＣＣＨに含まれるが、ＰＤＣＣＨの位置する時間周波数リソース位置がＰＢＣＨに含まれるＣＯＲＥＳＥＴ情報フィールドで示される。同時に、ＰＢＣＨには更に該ＳＳ  ｂｌｏｃｋがＲＭＳＩの情報、すなわちＲＭＳＩ  ｐｒｅｓｅｎｃｅ  ｆｌａｇ情報に関連するかどうかを示すためのものが含まれる。
【０１１０】
具体的に、ＲＭＳＩのＣＯＲＥＳＥＴ情報フィールド（第２指示フィールド）は関連するＲＭＳＩがないことを示す場合、ＰＲＢ  ｇｒｉｄ  ｏｆｆｓｅｔ情報フィールドで他のＳＳ  ｂｌｏｃｋのリソース情報を示してもよい。このとき、端末装置がＲＭＳＩを受信できず、システム情報を取得することにより他のチャネルを受信できないため、ＰＲＢ  ｇｒｉｄ  ｏｆｆｓｅｔ情報フィールドは同期信号ブロック及び非同期信号ブロックのチャネル又は信号のＰＲＢグリッドオフセットを示す必要がなくなり、このとき、ＰＲＢ  ｇｒｉｄ  ｏｆｆｓｅｔ情報フィールドで他のＳＳ  ｂｌｏｃｋのリソース情報を示してもよく、それにより端末装置が同期信号ブロックをブラインド検出する回数を減少させ、ＲＭＳＩを受信するように他の同期信号ブロックのリソース情報に基づいてＰＢＣＨを検出してＲＭＳＩのＣＯＲＥＳＥＴ情報を取得することができる。
【０１１１】
好ましくは、該第２指示フィールドが該第１同期信号ブロックには関連するＲＭＳＩがないことを示す場合、前記第２指示フィールドが更に前記第２同期信号ブロックのリソース情報のうちの情報の一部を示すために使用され、前記第１指示フィールドで示されるリソース情報が前記第２同期信号ブロックのリソース情報のうちの残りの情報である。
【０１１２】
具体的に、第２指示フィールドが該第１同期信号ブロックには関連するＲＭＳＩがないことを示す場合、第２指示フィールドに含まれる情報を前記第２同期信号ブロックのリソース情報のうちの情報の一部としてもよく、これにより、第２指示フィールドの情報及び第１指示フィールドの情報によって第２同期信号ブロックのリソース情報を示してもよく、ビットをより合理的に利用することができる。
【０１１３】
第２指示フィールドには第２同期信号ブロックのリソース情報を示すための複数の値があってもよく、具体にどの値を用いるかは送信すべき第２同期信号ブロックによって決定されてもよい。
【０１１４】
好ましくは、前記第１同期信号ブロックに含まれるＰＢＣＨが更に第２指示フィールドを含み、前記第２指示フィールドが前記第２同期信号ブロックのリソース情報のうちの情報の一部を示すために使用される場合、前記第１指示フィールドで示されるのが前記第２同期信号ブロックのリソース情報のうちの残りの情報である。
【０１１５】
具体的に、第２指示フィールドが該第１同期信号ブロックには関連するＲＭＳＩがないことを示す場合、第２指示フィールドに含まれる情報を前記第２同期信号ブロックのリソース情報のうちの情報の一部としてもよく、これにより、第２指示フィールドの情報及び第１指示フィールドの情報によって第２同期信号ブロックのリソース情報を示してもよく、ビットをより合理的に利用することができる。
【０１１６】
第２指示フィールドには第２同期信号ブロックのリソース情報を示すための複数の値があってもよく、具体にどの値を用いるかは送信すべき第２同期信号ブロックによって決定されてもよい。
【０１１７】
本願をより明確に理解するために、以下に第２指示フィールドを説明する。
【０１１８】
具体的に、５Ｇ  ＮＲシステムにおいて、初期アクセスする端末装置は共通制御情報、例えばＲＭＳＩをスケジューリングする制御情報を受信するための１つの共通検索空間（ｃｏｍｍｏｎ  ｓｅａｒｃｈ  ｓｐａｃｅ）を定義してもよい。従って、制御リソースセット（ＣＯＲＥＳＥＴ：Ｃｏｎｔｒｏｌ  Ｒｅｓｏｕｒｃｅ  Ｓｅｔ）の概念が導入されており、制御情報を含むリソースセットを定義するために使用され、ＲＭＳＩを含むＰＤＳＣＨのスケジューリング情報を取得するよう、端末装置は該リソースセットからＰＤＣＣＨチャネルを検出してもよい。ＣＯＲＥＳＥＴの指示情報はＮＲ−ＰＢＣＨに含まれており、端末がＲＭＳＩを受信するために使用される。ＣＯＲＥＳＥＴの設定情報は主に周波数領域リソース、開始ＯＦＤＭシンボル及び時間長等を含む。
【０１１９】
ＲＭＳＩのＣＯＲＥＳＥＴ情報の指示方式はＲＭＳＩ及びＳＳ／ＰＢＣＨのサブキャリア間隔、ＲＭＳＩ及びＳＳ／ＰＢＣＨの多重化パターンに関連し、サブキャリア間隔は｛ＳＳＢ  ＳＣＳ，ＲＭＳＩ  ＳＣＳ｝＝｛１５，１５｝、｛１５，３０｝、｛３０，１５｝、｛３０，３０｝、｛１２０，６０｝、｛１２０，１２０｝、｛２４０，６０｝、｛２４０，１２０｝｝ｋＨｚを含む。ＲＭＳＩ及び同期信号（ＳＳ：ｓｙｎｃｈｒｏｎｏｕｓ  ｓｉｇｎａｌ）／ＰＢＣＨの多重化方式は図６に示される方式１、図７に示される方式２及び図８に示される方式３である。
【０１２０】
好ましくは、設定テーブルでＣＯＲＥＳＥＴ情報を示す。下記表１に示すように、｛ＳＳＢ  ＳＣＳ，ＲＭＳＩ  ＳＣＳ｝＝｛１５，１５｝ｋＨｚの場合、ＣＯＲＥＳＥＴの時間領域及び周波数領域位置、並びにそれらの組み合わせは設定インデックス（Ｃｏｎｆｉｇｕｒａｔｉｏｎ  ｉｎｄｅｘ）例えばインデックス１〜１５でＣＯＲＥＳＥＴの情報を示す。好ましくは、インデックス１６で関連するＲＭＳＩがないことを示す。
【表１】
2021512520.tif 000003
【０１２１】
例えば、下記表２に示すように、｛ＳＳＢ  ＳＣＳ，ＲＭＳＩ  ＳＣＳ｝＝｛１５，１５｝ｋＨｚの場合、ＣＯＲＥＳＥＴの時間領域及び周波数領域位置、並びにそれらの組み合わせは設定インデックス（Ｃｏｎｆｉｇｕｒａｔｉｏｎ  ｉｎｄｅｘ）例えばインデックス１〜１５でＣＯＲＥＳＥＴの情報を示し、インデックス１６〜１８で他の非同期信号ブロックのリソース情報のうちの情報の一部を示す。
【表２】
2021512520.tif 000004
【０１２２】
従って、本願の実施例では、第１同期信号ブロックの指示フィールドは実際の応用状況に応じて、同期信号ブロック及び非同期信号ブロックのチャネル又は信号間の物理リソースブロック（ＰＲＢ：Ｐｈｙｓｉｃａｌ  Ｒｅｓｏｕｒｃｅ  Ｂｌｏｃｋ）グリッドオフセット、又は第２同期信号ブロックのリソース情報を示すために使用されてもよく、情報フィールドの多重化を実現することができ、シグナリングオーバーヘッドを低減することができ、且つ第２同期信号ブロックのリソース情報を示す場合、端末装置が他の同期信号ブロックをブラインド検出する複雑度を低減し、端末装置の電力消費を削減し、アクセス遅延を短縮することができる。
【０１２３】
図９は本願の実施例に係る無線通信方法３００のフローチャートである。図９に示すように、該方法３００は以下の少なくとも一部を含む。
【０１２４】
ステップ３１０において、端末装置が第１同期信号ブロックを受信する。
【０１２５】
ステップ３２０において、端末装置は前記第１同期信号ブロックに含まれる物理ブロードキャストチャネル（ＰＢＣＨ）における第１指示フィールドで示されるのが同期信号ブロック及び非同期信号ブロックのチャネル又は信号間のＰＲＢグリッドオフセット、又は第２同期信号ブロックのリソース情報であると決定する。
【０１２６】
ステップ３３０において、前記第１指示フィールドが前記第２同期信号ブロックのリソース情報を示す場合、端末装置が前記第１指示フィールドから前記第２同期信号ブロックのリソース情報を取得する。
【０１２７】
好ましくは、前記第２同期信号ブロックのリソース情報を取得した後、端末装置が前記第２同期信号ブロックのリソース情報に基づいて前記第２同期信号ブロックを受信する。
【０１２８】
好ましくは、前記第１指示フィールドが前記ＰＲＢグリッドオフセットを示す場合、端末装置が前記第１指示フィールドから前記ＰＲＢグリッドオフセットを取得する。
【０１２９】
好ましくは、端末装置が前記ＰＲＢグリッドオフセットに基づいて制御チャネルの受信を行い、受信された制御チャネルに基づいてＲＭＳＩを受信する。
【０１３０】
好ましくは、端末装置は前記第２同期信号ブロックに含まれるＰＢＣＨにおける第２指示フィールドに基づき、前記第１指示フィールドで示されるのが前記ＰＲＢグリッドオフセット又は前記リソース情報であると決定する。
【０１３１】
好ましくは、前記第１同期信号ブロックに含まれるＰＢＣＨが更に第２指示フィールドを含み、
前記第２指示フィールドが残存最小システム情報（ＲＭＳＩ）に対応する制御チャネルのリソース情報を示す場合、前記第１指示フィールドで示されるのが前記ＰＲＢグリッドオフセットである。
【０１３２】
好ましくは、前記第１同期信号ブロックに含まれるＰＢＣＨが更に第２指示フィールドを含み、
前記第２指示フィールドが、関連するＲＭＳＩが前記第１同期信号ブロックに存在しないことを示す場合、前記第１指示フィールドで示されるのが前記第２同期信号ブロックのリソース情報である。
【０１３３】
好ましくは、前記第２指示フィールドが更に前記第２同期信号ブロックのリソース情報のうちの情報の一部を示すために使用され、前記第１指示フィールドで示されるリソース情報が前記第２同期信号ブロックのリソース情報のうちの残りの情報である。
【０１３４】
好ましくは、前記第１同期信号ブロックに含まれるＰＢＣＨが更に第２指示フィールドを含み、
前記第２指示フィールドが前記第２同期信号ブロックのリソース情報のうちの情報の一部を示すために使用される場合、前記第１指示フィールドで示されるのが前記第２同期信号ブロックのリソース情報のうちの残りの情報である。
【０１３５】
好ましくは、前記第２同期信号ブロックのリソース情報が前記第２同期信号ブロックの占有した絶対周波数領域位置の情報を含み、又は、
前記第２同期信号ブロックのリソース情報が前記第１同期信号ブロックと前記第２同期信号ブロックとの間の相対周波数領域間隔の情報を含み、又は、
前記第２同期信号ブロックのリソース情報が前記第２同期信号ブロックの占有した絶対周波数領域位置の属する周波数領域範囲の情報を含む。
【０１３６】
好ましくは、前記第２同期信号ブロックの可能な周波数領域位置のうち、隣接する２つの周波数領域位置との間隔が異なる周波数領域位置が少なくとも１つ存在する。
【０１３７】
従って、本願の実施例では、第１同期信号ブロックの指示フィールドは実際の応用状況に応じて、同期信号ブロック及び非同期信号ブロックのチャネル又は信号間の物理リソースブロック（ＰＲＢ：Ｐｈｙｓｉｃａｌ  Ｒｅｓｏｕｒｃｅ  Ｂｌｏｃｋ）グリッドオフセット、又は第２同期信号ブロックのリソース情報を示すために使用されてもよく、情報フィールドの多重化を実現することができ、シグナリングオーバーヘッドを低減することができ、且つ第２同期信号ブロックのリソース情報を示す場合、端末装置が他の同期信号ブロックをブラインド検出する複雑度を低減し、端末装置の電力消費を削減し、アクセス遅延を短縮することができる。
【０１３８】
図１０は本願の実施例に係る無線通信方法８００のフローチャートである。該方法８００は以下の少なくとも一部を含む。
【０１３９】
ステップ８１０において、ネットワーク装置が第１同期信号ブロックを送信し、前記第１同期信号ブロックにおけるＰＢＣＨが少なくとも１つの指示フィールドを含み、
前記少なくとも１つの指示フィールドが第１インデックスを搬送するために使用され、前記第１インデックスがＭ個のインデックスのうちの少なくとも１つを含み、前記インデックスが第２同期信号ブロックの周波数領域位置を示すために使用され、前記Ｍが１より大きい整数である。
【０１４０】
該Ｍ個のインデックスは第１同期信号ブロックに含まれることができるインデックスを指し、該Ｍ個のインデックスで示されるＭ個の周波数領域位置は該第１同期信号ブロックで示すことができる周波数領域位置を指し、該Ｍ個の周波数領域位置以外の周波数領域位置において、同期信号ブロックを送信してもよいが、第１同期信号ブロックで示すことができない。
【０１４１】
好ましくは、前記インデックスで示される周波数領域位置が１つ又は複数の同期グリッド（ｓｙｎｃ  ｒａｓｔｅｒ）を占有する。
【０１４２】
具体的に、各インデックスで示される周波数領域位置が１つ又は複数の同期グリッドを占有してもよく、複数の同期グリッドを占有する場合、第２同期信号ブロックが全ての該複数の同期グリッドを占有してもよいし、その一部の同期グリッドを占有してもよく、このとき、端末装置はブラインド検出方式で第２同期信号ブロックを取得してもよい。
【０１４３】
好ましくは、前記インデックスは、前記第２同期信号ブロックと前記第１同期信号ブロックとの間の同期グリッドオフセットを示すことにより、前記第２同期信号ブロックの周波数領域位置を示す。
【０１４４】
無論、前記インデックスは更に直接前記第２同期信号ブロックの絶対周波数領域位置を示してもよい。
【０１４５】
ステップ８２０において、端末装置がネットワーク装置から送信された該第１同期信号ブロックを受信する。
【０１４６】
ステップ８３０において、端末装置が該第１同期信号ブロックに含まれる第１指示フィールドから第２同期信号ブロックの周波数領域位置を取得する。これにより、端末装置は該第２同期信号ブロックの周波数領域位置において第２同期信号ブロックを受信してもよい。
【０１４７】
好ましくは、前記Ｍ個のインデックスがＱ個のインデックスを含み、前記Ｑ個のインデックスで示される周波数領域位置の周波数がいずれも前記第１同期信号ブロックの周波数領域位置の周波数より高く又はそれより低く、前記Ｑが１より大きいか等しい整数であり、且つＭより小さいか等しく、前記Ｑ個のインデックスで示されるＱ個の周波数領域位置のうち、隣接する周波数領域位置との間隔が異なる周波数領域位置が少なくとも１つ存在する。
【０１４８】
具体的に、第１同期信号ブロックの周波数領域位置の周波数より高い周波数領域にはＱ個の周波数領域位置があり、該Ｑ個の周波数領域位置がＱ個のインデックスで示されてもよく、該Ｑ個の周波数領域位置のうち、隣接する周波数領域位置との間隔が異なる周波数領域位置が少なくとも１つあり、つまり、該Ｑ個の周波数領域位置の周波数領域における分布が均一でなくてもよい。ＱがＭより小さい場合、残りのＭ〜Ｑ個の周波数領域位置が第１同期信号ブロックの周波数領域位置の周波数より低い周波数領域に位置してもよく、このＭ〜Ｑ個の周波数領域位置の分布が均一でなくてもよく、つまり、隣接する周波数領域位置との間隔が異なる周波数領域位置が少なくとも１つあり、又は、このＭ〜Ｑ個の周波数領域位置の分布が均一であってもよく、つまり、隣接する周波数領域位置間の間隔が同じである。
【０１４９】
又は、第１同期信号ブロックの周波数領域位置の周波数より低い周波数領域にはＱ個の周波数領域位置があり、該Ｑ個の周波数領域位置がＱ個のインデックスで示されてもよく、該Ｑ個の周波数領域位置のうち、隣接する周波数領域位置との間隔が異なる周波数領域位置が少なくとも１つあり、つまり、該Ｑ個の周波数領域位置の周波数領域における分布が均一ではない。ＱがＭより小さい場合、残りのＭ〜Ｑ個の周波数領域位置が第１同期信号ブロックの周波数領域位置の周波数より高い周波数領域に位置してもよく、このＭ〜Ｑ個の周波数領域位置の分布が均一でなくてもよく、つまり、隣接する周波数領域位置との間隔が異なる周波数領域位置が少なくとも１つあり、又は、このＭ〜Ｑ個の周波数領域位置の分布が均一であってもよく、つまり、隣接する周波数領域位置間の間隔が同じである。
【０１５０】
好ましくは、第１同期信号ブロックの周波数領域位置の周波数より低い周波数領域における第２同期信号ブロックの周波数領域位置（第１指示フィールドで示すことができる周波数領域位置）の数は第１同期信号ブロックの周波数領域位置の周波数より高い周波数領域における第２同期信号ブロックの周波数領域位置（第１指示フィールドで示すことができる周波数領域位置）の数に等しくてもよい。
【０１５１】
第１同期信号ブロックの周波数領域位置を中心点とすれば、より高い周波数領域における周波数領域位置とより低い周波数領域における周波数領域位置とが対称であってもよく、無論、対称でなくてもよい。
【０１５２】
好ましくは、隣接する周波数領域位置のうちの前の周波数領域位置の最後の同期グリッドと次の周波数領域位置の１番目の同期グリッドとの間に同期グリッドがあってもよいし、同期グリッドがなくてもよく、同期グリッドがある場合、いずれか隣接する周波数領域位置間の同期グリッドの数が同じであってもよいし、異なってもよい。
【０１５３】
好ましくは、前記Ｑ個のインデックスがＮ個のインデックスセットに属し、各インデックスセットが１つの間隔に対応し、異なるインデックスセットに対応する間隔が異なり、前記Ｎが１より大きいか等しい整数であり、且つＱより小さいか等しく、前記インデックスセットに対応する間隔が前記インデックスセットにおけるインデックスで示される周波数領域位置のうちの、隣接する２つの周波数領域位置の間隔である。
【０１５４】
ＱがＮに等しくてもよく、このとき、各インデックスセットが１つのインデックスを含んでもよく、これは隣接する周波数領域位置のいずれか２つの間隔が異なることを意味する。
【０１５５】
又は、ＱがＮより小さくてもよく、このとき、少なくとも１つのインデックスセットが複数のインデックスを含んでもよく、インデックスセットに含まれるインデックスの数が同じであってもよいし、異なってもよい。
【０１５６】
好ましくは、前記インデックスセットにおけるインデックスで示される周波数領域位置が前記第１同期信号ブロックから遠く離れるほど、前記インデックスセットに対応する間隔が大きくなる。逆に、前記インデックスセットにおけるインデックスで示される周波数領域位置が前記第１同期信号ブロックに近ければ近いほど、前記インデックスセットに対応する間隔が小さくなる。
【０１５７】
以下、表３を例として説明し、第１同期信号ブロックの同期グリッドから一定の周波数領域範囲において、示すことができる隣接する同期グリッド間の間隔が第１間隔であり、該周波数領域範囲を超えると、示される隣接する同期グリッド間の間隔が第２間隔である、下記表３に示すように、同期グリッドオフセットが−２５６〜＋２５６範囲にある場合、隣接する同期グリッド間の間隔が１であり、−２５６〜＋２５６範囲を超える場合、隣接する同期グリッド間の間隔が２である。
【表３】
2021512520.tif 000005
【０１５８】
従って、本願の実施例では、不均一方式で同期信号ブロックの周波数領域位置の指示を行うことにより、示すべき周波数領域位置を柔軟に設定し、通信柔軟性を実現することができ、且つビットオーバーヘッドを低減することができる。
【０１５９】
好ましくは、前記Ｍ個のインデックスがＳ個のインデックスを含み、前記Ｓ個のインデックスで示される周波数領域位置の周波数がいずれも前記第１同期信号ブロックの周波数領域位置の周波数より高く又はそれより低く、前記Ｓが１より大きいか等しい整数であり、且つＭより小さいか等しく、前記Ｓ個のインデックスで示されるＳ個の周波数領域位置のうちの少なくとも１つの周波数領域位置の占有した同期グリッド数がその隣接する周波数領域位置の占有した同期グリッド数と異なる。
【０１６０】
具体的に、第１同期信号ブロックの周波数領域位置の周波数より高い周波数領域にはＱ個の周波数領域位置があり、該Ｑ個の周波数領域位置がＱ個のインデックスで示されてもよく、該Ｑ個の周波数領域位置のうち、隣接する周波数領域位置の占有した同期グリッド数と異なる周波数領域位置が少なくとも１つ存在する。ＱがＭより小さい場合、残りのＭ〜Ｑ個の周波数領域位置が第１同期信号ブロックの周波数領域位置の周波数より低い周波数領域に位置してもよく、このＭ〜Ｑ個の周波数領域位置のうち、隣接する周波数領域位置の占有した同期グリッド数と異なる周波数領域位置が少なくとも１つあってもよく、又は、このＭ〜Ｑ個の周波数領域位置の占有した同期グリッド数が同じである。
【０１６１】
又は、第１同期信号ブロックの周波数領域位置の周波数より低い周波数領域にはＱ個の周波数領域位置があり、該Ｑ個の周波数領域位置がＱ個のインデックスで示されてもよく、該Ｑ個の周波数領域位置のうち、隣接する周波数領域位置の占有した同期グリッド数と異なる周波数領域位置が少なくとも１つ存在する。ＱがＭより小さい場合、残りのＭ〜Ｑ個の周波数領域位置が第１同期信号ブロックの周波数領域位置の周波数より高い周波数領域に位置してもよく、このＭ〜Ｑ個の周波数領域位置のうち、隣接する周波数領域位置の占有した同期グリッド数と異なる周波数領域位置が少なくとも１つあってもよく、又は、このＭ〜Ｑ個の周波数領域位置の占有した同期グリッド数が同じである。
【０１６２】
好ましくは、占有した同期グリッド数の面で第１同期信号ブロックの占有した周波数領域位置を中心点とすれば、より低い周波数領域における周波数領域位置とより高い周波数領域における周波数領域位置とが対称であってもよく、対称でなくてもよい。
【０１６３】
例えば、第１同期信号ブロックの占有した周波数領域位置から高い周波数領域数へのｘ番目の周波数領域位置の占有した同期グリッドの数は低い周波数領域数へのｘ番目の周波数領域位置の占有した同期グリッドの数に等しくてもよい。
【０１６４】
好ましくは、前記Ｓ個のインデックスがＴ個のインデックスセットに属し、各インデックスセットが１つの同期グリッド数に対応し、異なるインデックスセットに対応する同期グリッド数が異なり、前記Ｔが１より大きいか等しい整数であり、且つＳより小さいか等しく、
前記インデックスセットに対応する同期グリッド数が前記インデックスセットにおけるインデックスで示される周波数領域位置のうちの各周波数領域位置の占有した同期グリッドの数である。
【０１６５】
ＴがＳに等しくてもよく、このとき、各インデックスセットが１つのインデックスを含んでもよく、これはいずれか２つの周波数領域位置に含まれる同期グリッドの数が異なることを意味する。
【０１６６】
又は、ＴがＳより小さくてもよく、このとき、少なくとも１つのインデックスセットが複数のインデックスを含んでもよく、インデックスセットに含まれるインデックスの数が同じであってもよいし、異なってもよい。
【０１６７】
好ましくは、前記インデックスセットにおけるインデックスで示される周波数領域位置が前記第１同期信号ブロックから遠く離れるほど、前記インデックスセットにおける対応する同期グリッド数が多い。逆に、前記インデックスセットにおけるインデックスで示される周波数領域位置が前記第１同期信号ブロックに近ければ近いほど、前記インデックスセットにおける対応する同期グリッド数が少なくなる。
【０１６８】
従って、本願の実施例では、周波数領域位置に含まれる同期グリッドの数を柔軟に設定することができ、通信柔軟性を実現することができ、且つビットオーバーヘッドを低減することができる。
【０１６９】
好ましくは、前記Ｍ個のインデックスで示されるＭ個の周波数領域位置と前記第１同期信号ブロックの周波数領域位置とが同じ周波数帯に属する。
【０１７０】
好ましくは、１つの周波数帯において、Ｍ＋１個の周波数領域位置に対応するＭ個の間隔が同じであり、前記Ｍ＋１個の周波数領域位置が前記Ｍ個のインデックスで示されるＭ個の周波数領域位置と前記第１同期信号ブロックの周波数領域位置とを含み、前記Ｍ個の間隔のそれぞれが前記Ｍ＋１個の周波数領域位置のうちの、隣接する２つの周波数領域位置の間隔である。
【０１７１】
例えば、前記第１同期信号ブロックが第１周波数帯に位置する場合、前記間隔が第１間隔であり、前記第１同期信号ブロックが、前記第１周波数帯と異なる第２周波数帯に位置する場合、前記間隔が前記第１間隔に等しくない第２間隔である。
【０１７２】
好ましくは、１つの周波数帯において、Ｍ個の周波数領域位置に含まれる同期グリッドの数が同じである。
【０１７３】
例えば、前記第１同期信号ブロックが第１周波数帯に位置する場合、前記同期グリッドの数が第１数であり、前記第１同期信号ブロックが、前記第１周波数帯と異なる第２周波数帯に位置する場合、前記同期グリッドの数が前記第１数に等しくない第２数である。
【０１７４】
好ましくは、１つの周波数帯において、前記Ｍ個の周波数領域位置がＱ個の周波数領域位置を含み、前記Ｑ個の周波数領域位置の周波数がいずれも前記第１同期信号ブロックの周波数領域位置の周波数より高く又はそれより低く、前記Ｑが１より大きいか等しい整数であり、且つＭより小さいか等しく、前記Ｑ個の周波数領域位置のうち、隣接する周波数領域位置との間隔が異なる周波数領域位置が少なくとも１つ存在する。
【０１７５】
好ましくは、１つの周波数帯において、Ｍ個の周波数領域位置がＳ個の周波数領域位置を含み、前記Ｓ個の周波数領域位置の周波数がいずれも前記第１同期信号ブロックの周波数領域位置の周波数より高く又はそれより低く、前記Ｓが１より大きいか等しい整数であり、且つＭより小さいか等しく、前記Ｓ個の周波数領域位置のうちの少なくとも１つの周波数領域位置の占有した同期グリッド数がその隣接する周波数領域位置の占有した同期グリッド数と異なる。
【０１７６】
具体的に、該周波数領域位置間の間隔又は周波数領域位置の占有した同期グリッドの数はキャリアの属する周波数帯に関連してもよく、例えば周波数帯（ｂａｎｄ）ｎ７８（３．３−３．８ＧＨｚ）が少なくとも１つの間隔（又は、少なくとも１つの同期グリッド数）を用いるが、他のｂａｎｄが他の少なくとも１つの間隔（又は、少なくとも１つの同期グリッド数）を用いてもよく、例えば、１つの周波数帯において、インデックスの指示方式は表３に示されてもよく、他の周波数帯において、異なるインデックス指示方式があり、例えば−１２８〜＋１２８範囲にある場合、隣接する同期グリッド間の間隔が１であり、−１２８〜＋１２８範囲を超える場合、隣接する同期グリッド間の間隔が２である。２種類以上の異なる間隔があってもよく、例えば間隔１、２、３がある。
【０１７７】
従って、本願の実施例では、帯域装置の周波数領域位置間の間隔及び周波数領域位置に含まれる同期グリッドの数に基づいて通信柔軟性を実現することができる。
【０１７８】
好ましくは、前記少なくとも１つの指示フィールドが第１指示フィールドを含み、前記第１指示フィールドが前記インデックスの情報又は携帯残存最小システム情報（ＲＭＳＩ）に対応する制御チャネルのリソース情報を搬送するために使用される。好ましくは、第１指示フィールドに前記インデックスの少なくとも１ビットを含ませる前に、ネットワーク装置は前記ＲＭＳＩに対応する制御チャネルのリソース情報ではなく前記第１指示フィールドにおける前記インデックスを搬送すべき少なくとも１ビットを決定する。
【０１７９】
具体的に、同期信号ブロックに含まれるＰＢＣＨにおける第１指示フィールドは本願の実施例のインデックスの少なくとも１ビットを搬送するために使用されてもよいし、前記ＲＭＳＩ以外のものに対応する制御チャネルのリソース情報を示すために使用されてもよく、そうすると同期信号ブロックを送信するとき、本願の実施例のインデックスの少なくとも１ビットを搬送し、又は前記ＲＭＳＩ以外のものに対応する制御チャネルのリソース情報を示すために使用されると決定する必要がある。
【０１８０】
好ましくは、前記ＰＢＣＨが更に第２指示フィールドを含み、前記第２指示フィールドが、関連するＲＭＳＩが前記第１同期信号ブロックに存在しないことを示すために使用される場合、前記第１指示フィールドには前記インデックスの少なくとも１ビットが搬送され、前記第２指示フィールドが同期信号ブロック及び非同期信号ブロックのチャネル又は信号間の物理リソースブロック（ＰＲＢ）グリッドオフセットを示すために使用される場合、前記第１指示フィールドには前記ＲＭＳＩに対応する制御チャネルのリソース情報が搬送される。
【０１８１】
具体的に、第２指示フィールドがＰＲＢグリッドオフセットの情報を示す場合、第１同期信号ブロックには関連するＲＭＳＩがあると示されるので、ＲＭＳＩの受信を実現するために、第１指示フィールドがＲＭＳＩに対応する制御チャネルのリソース情報を含む。前記第２指示フィールドが、関連するＲＭＳＩが前記第１同期信号ブロックに存在しないことを示すために使用される場合、ＲＭＳＩを受信する必要がなく、そうすると第１指示フィールドには本願の実施例に言及したインデックスの情報を含ませてもよい。
【０１８２】
好ましくは、第１指示フィールドは本願の実施例のインデックスの全ての情報を含んでもよい。
【０１８３】
具体的に、ＰＲＢ  ｇｒｉｄ  ｏｆｆｓｅｔ情報フィールドにおける予約値でＲＭＳＩがないことを示す場合、ＲＭＳＩのＣＯＲＥＳＥＴ情報フィールドにおけるビットで第２ＳＳ  ｂｌｏｃｋのリソース情報を示す。
【０１８４】
好ましくは、第１指示フィールドに本願の実施例のインデックスのビットの一部が含まれてもよく、情報の一部を含む場合、他の指示フィールドに本願の実施例のインデックスの残りのビットを含ませてもよい。
【０１８５】
好ましくは、前記第２指示フィールドが、関連するＲＭＳＩが前記第１同期信号ブロックに存在しないことを示すために使用される場合、前記少なくとも１つの指示フィールドが前記第２指示フィールドを含み、前記第２指示フィールドが更に前記第１インデックスのビットの一部を示すために使用され、前記第１指示フィールドで示されるのが前記第１インデックスの別のビットである。
【０１８６】
具体的に、ＰＲＢ  ｇｒｉｄ  ｏｆｆｓｅｔ情報フィールドにおける予約値でＲＭＳＩがないことを示す場合、ＰＲＢ  ｇｒｉｄ  ｏｆｆｓｅｔ情報フィールドにおける予約値及びＲＭＳＩのＣＯＲＥＳＥＴ情報フィールドにおけるビットで第２同期信号ブロックのリソース情報を示す。下記表４に示すように、Ｒ０、Ｒ１、Ｒ２はＰＲＢ  ｇｒｉｄ  ｏｆｆｓｅｔ情報フィールドにおける予約値であって、いずれもＲＭＳＩがないことを示すために使用されてもよい。ＲＭＳＩのＣＯＲＥＳＥＴ情報フィールドが８ｂｉｔで０〜２５５を示してもよく、この２つの部分の情報が第２同期信号ブロックの周波数領域位置情報を示すために使用され、周波数領域位置情報は第２同期信号ブロックの位置するｓｙｎｃ  ｒａｓｔｅｒ（同期グリッド）が第１ＳＳ  ｂｌｏｃｋの位置するｓｙｎｃ  ｒａｓｔｅｒの位置よりオフセットしたｓｙｎｃ  ｒａｓｔｅｒの個数を示す。ｓｙｎｃ  ｒａｓｔｅｒがＳＳ  ｂｌｏｃｋ間の周波数領域における間隔を示す。
【表４】
2021512520.tif 000006
【０１８７】
従って、本願の実施例では、第２同期信号ブロックの周波数領域位置を示すよう、ネットワーク装置は第１同期信号ブロックに含まれる少なくとも１つの指示フィールドにＭ個のインデックスのうちの少なくとも１つのインデックスを含ませ、それにより端末装置は該少なくとも１つのインデックスに基づいて該第２同期信号ブロックの周波数領域位置を取得することができる。
【０１８８】
図１１は本願の実施例に係るネットワーク装置４００のブロック図である。図１１に示すように、該ネットワーク装置４００は処理ユニット４１０及び通信ユニット４２０を備える。
【０１８９】
好ましくは、該処理ユニット４１０は第１同期信号ブロックに含まれる物理ブロードキャストチャネル（ＰＢＣＨ）における第１指示フィールドが同期信号ブロック及び非同期信号ブロックのチャネル又は信号間の物理リソースブロック（ＰＲＢ）グリッドオフセット、又は第２同期信号ブロックのリソース情報を示すために使用されると決定するように構成され、該通信ユニット４２０は該第１同期信号ブロックを送信するように構成され、該第１指示フィールドが該リソース情報を示すために使用されると決定する場合、送信された該第１同期信号ブロックに含まれるＰＢＣＨにおける第１指示フィールドが該リソース情報を示す。
【０１９０】
理解されるべきように、本願の実施例に係るネットワーク装置４００は本願の方法実施例のネットワーク装置に対応してもよく、且つネットワーク装置４００の各ユニットの上記及び他の操作及び／又は機能はそれぞれ図２に示される方法２００におけるネットワーク装置の対応プロセスを実現するためのものであり、簡潔のため、ここで詳細な説明は省略する。
【０１９１】
好ましくは、前記処理ユニットは第１同期信号ブロックを生成するように構成され、前記第１同期信号ブロックにおける物理ブロードキャストチャネル（ＰＢＣＨ）が少なくとも１つの指示フィールドを含み、前記少なくとも１つの指示フィールドが第１インデックスを搬送するために使用され、前記第１インデックスがＭ個のインデックスのうちの少なくとも１つを含み、前記インデックスが第２同期信号ブロックの周波数領域位置を示すために使用され、前記Ｍが１より大きい整数であり、前記通信ユニットは前記第１同期信号ブロックを送信するように構成される。
【０１９２】
理解されるべきように、本願の実施例に係るネットワーク装置４００は本願の方法実施例のネットワーク装置に対応してもよく、且つネットワーク装置４００の各ユニットの上記及び他の操作及び／又は機能はそれぞれ図１０に示される方法８００におけるネットワーク装置の対応プロセスを実現するためのものであり、簡潔のため、ここで詳細な説明は省略する。
【０１９３】
図１２は本願の実施例に係る端末装置５００のブロック図である。図１２に示すように、該端末装置５００は通信ユニット５１０及び処理ユニット５２０を備え、
該通信ユニット５１０は第１同期信号ブロックを受信するように構成され、
該処理ユニット５２０は該第１同期信号ブロックに含まれる物理ブロードキャストチャネル（ＰＢＣＨ）における第１指示フィールドで示されるのが同期信号ブロック及び非同期信号ブロックのチャネル又は信号間のＰＲＢグリッドオフセット、又は第２同期信号ブロックのリソース情報であると決定し、該第１指示フィールドが該リソース情報を示す場合、該第１指示フィールドから該リソース情報を取得するように構成される。
【０１９４】
理解されるべきように、本願の実施例に係る端末装置５００は本願の方法実施例の端末装置に対応してもよく、且つ端末装置５００の各ユニットの上記及び他の操作及び／又は機能はそれぞれ図９に示される方法３００における端末装置の対応プロセスを実現するためのものであり、簡潔のため、ここで詳細な説明は省略する。
【０１９５】
好ましくは、前記通信ユニット５１０は第１同期信号ブロックを受信するように構成され、前記第１同期信号ブロックにおける物理ブロードキャストチャネル（ＰＢＣＨ）が少なくとも１つの指示フィールドを含み、前記少なくとも１つの指示フィールドが第１インデックスを搬送するために使用され、前記第１インデックスがＭ個のインデックスのうちの少なくとも１つを含み、前記インデックスが第２同期信号ブロックの周波数領域位置を示すために使用され、前記Ｍが１より大きい整数であり、前記処理ユニット５２０は前記第１指示フィールドから前記第２同期信号ブロックの周波数領域位置を取得するように構成される。
【０１９６】
理解されるべきように、本願の実施例に係る端末装置５００は本願の方法実施例の端末装置に対応してもよく、且つ端末装置５００の各ユニットの上記及び他の操作及び／又は機能はそれぞれ図１０に示される方法８００における端末装置の対応プロセスを実現するためのものであり、簡潔のため、ここで詳細な説明は省略する。
【０１９７】
図１３は本願の実施例のシステムチップ６００の構造模式図である。図１３におけるシステムチップ６００は入力インターフェース６０１、出力インターフェース６０２、プロセッサ６０３及びメモリ６０４を備え、それらが内部通信接続経路によって接続されてもよく、前記プロセッサ６０３は前記メモリ６０４におけるコードを実行するように構成される。
【０１９８】
好ましくは、前記コードが実行されるとき、前記プロセッサ６０３は方法実施例における端末装置の実行する方法を実現する。簡潔のため、ここで詳細な説明は省略する。
【０１９９】
好ましくは、前記コードが実行されるとき、前記プロセッサ６０３は方法実施例におけるネットワーク装置の実行する方法を実現する。簡潔のため、ここで詳細な説明は省略する。
【０２００】
図１４は本願の実施例に係る通信装置７００のブロック図である。図１４に示すように、該通信装置７００はプロセッサ７１０及びメモリ７２０を備える。該メモリ７２０にプログラムコードが記憶されてもよく、該プロセッサ７１０は該メモリ７２０に記憶されるプログラムコードを実行することができる。
【０２０１】
好ましくは、図１４に示すように、該通信装置７００は送受信機７３０を備えてもよく、プロセッサ７１０は送受信機７３０が外部と通信するように制御することができる。
【０２０２】
好ましくは、該プロセッサ７１０はメモリ７２０に記憶されるプログラムコードを呼び出して、方法実施例における端末装置の対応操作を実行することができ、簡潔のため、ここで詳細な説明は省略する。
【０２０３】
好ましくは、該プロセッサ７１０はメモリ７２０に記憶されるプログラムコードを呼び出して、方法実施例におけるネットワーク装置の対応操作を実行することができ、簡潔のため、ここで詳細な説明は省略する。
【０２０４】
理解されるべきように、本願の実施例のプロセッサは信号処理機能を有する集積回路チップでありうる。実現過程において、上記方法実施例の各ステップはプロセッサにおけるハードウェアの集積論理回路又はソフトウェア形式の命令で行われてもよい。上記プロセッサは汎用プロセッサ、デジタルシグナルプロセッサ（ＤＳＰ：Ｄｉｇｉｔａｌ  Ｓｉｇｎａｌ  Ｐｒｏｃｅｓｓｏｒ）、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）又は他のプログラマブルロジックデバイス、個別ゲート又はトランジスタロジックデバイス、個別ハードウェアコンポーネントであってもよい。本願の実施例に開示される各方法、ステップ及び論理ブロックを実現又は実行することができる。汎用プロセッサはマイクロプロセッサであってもよく、又は該プロセッサはいかなる通常のプロセッサ等であってもよい。本願の実施例に開示される方法のステップはハードウェア復号プロセッサで実行して完成し、又は復号プロセッサにおけるハードウェア及びソフトウェアモジュールの組み合わせで実行して完成するように直接具現されてもよい。ソフトウェアモジュールはランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体はメモリに位置し、プロセッサはメモリにおける情報を読み取り、そのハードウェアと組み合わせて上記方法のステップを行う。
【０２０５】
理解されるように、本願の実施例では、メモリは揮発性メモリであっても、又は不揮発性メモリであってもよく、又は、揮発性メモリ及び不揮発性メモリの両方を含んでもよい。不揮発性メモリは読み出し専用メモリ（ＲＯＭ：Ｒｅａｄ−Ｏｎｌｙ  Ｍｅｍｏｒｙ）、プログラム可能読み出し専用メモリ（ＰＲＯＭ：Ｐｒｏｇｒａｍｍａｂｌｅ  ＲＯＭ）、消去可能プログラム可能読み出し専用メモリ（ＥＰＲＯＭ：Ｅｒａｓａｂｌｅ  ＰＲＯＭ）、電気的消去可能プログラム可能読み出し専用メモリ（ＥＥＰＲＯＭ：Ｅｌｅｃｔｒｉｃａｌｌｙ  ＥＰＲＯＭ）又はフラッシュメモリであってもよい。揮発性メモリは外部キャッシュメモリとして使用されるランダムアクセスメモリ（ＲＡＭ：Ｒａｎｄｏｍ  Ａｃｃｅｓｓ  Ｍｅｍｏｒｙ）であってもよい。例示的な説明であって制限的ではないが、多くの形式のＲＡＭ、例えばスタティックランダムアクセスメモリ（ＳＲＡＭ：Ｓｔａｔｉｃ  ＲＡＭ）、ダイナミックランダムアクセスメモリ（ＤＲＡＭ：Ｄｙｎａｍｉｃ  ＲＡＭ）、シンクロナスダイナミックランダムアクセスメモリ（ＳＤＲＡＭ：Ｓｙｎｃｈｒｏｎｏｕｓ  ＤＲＡＭ）、ダブルデータレートシンクロナスダイナミックランダムアクセスメモリ（ＤＤＲ  ＳＤＲＡＭ：Ｄｏｕｂｌｅ  Ｄａｔａ  Ｒａｔｅ  ＳＤＲＡＭ）、拡張型シンクロナスダイナミックランダムアクセスメモリ（ＥＳＤＲＡＭ：Ｅｎｈａｎｃｅｄ  ＳＤＲＡＭ）、シンクリンクダイナミックランダムアクセスメモリ（ＳＬＤＲＡＭ：Ｓｙｎｃｈｌｉｎｋ  ＤＲＡＭ）及びダイレクトラムバスランダムアクセスメモリ（ＤＲ  ＲＡＭ：Ｄｉｒｅｃｔ  Ｒａｍｂｕｓ  ＲＡＭ）が利用可能である。注意されるべきように、本明細書に説明されるシステム及び方法のメモリはこれらのメモリ及び任意の他の適切なタイプのメモリを含むが、それらに限らないように意図されるものである。
【０２０６】
当業者であれば意識できるように、本明細書に開示される実施例を参照して説明した各例示的なユニット及びアルゴリズムステップは、電子ハードウェア、又はコンピュータソフトウェア及び電子ハードウェアの組み合わせで実現できる。これらの機能をハードウェアそれともソフトウェア方式で実行するかは、技術案の特定応用及び設計制約条件によって決定される。当業者は各特定応用に対して異なる方法でここの説明される機能を実現することができるが、このような実現は本願の範囲を超えるものと見なされるべきではない。
【０２０７】
当業者であれば明確に理解できるように、説明を容易且つ簡単にするために、上記説明されるシステム、装置及びユニットの具体的な動作過程は、前述の方法実施例における対応過程を参照してもよく、ここで詳細な説明は省略する。
【０２０８】
本願に係るいくつかの実施例において、理解されるべきように、開示されるシステム、装置及び方法は他の方式で実現されてもよい。例えば、以上に説明される装置実施例は模式的なものに過ぎず、例えば、前記ユニットの区分は論理機能上の区分に過ぎず、実際に実現するとき、他の区分方式があってもよく、例えば複数のユニット又はコンポーネントは他のシステムに結合又は統合されてもよく、又はいくつかの特徴は省略してもよく、又は実行しなくてもよい。一方、表示又は検討される相互間の結合又は直接結合又は通信接続はいくつかのインターフェース、装置又はユニットによる間接結合又は通信接続であってもよく、電気、機械又は他の形式であってもよい。
【０２０９】
分離部材として説明される前記ユニットは物理的に分離してもよいし、物理的に分離しなくてもよく、ユニットとして表示される部材は物理ユニットであってもよいし、物理ユニットでなくてもよく、つまり、一箇所に位置してもよいし、複数のネットワークユニットに配置されてもよい。実際の必要に応じて、その一部又は全部のユニットを選択して本実施例案の目的を実現してもよい。
【０２１０】
また、本願の各実施例では、各機能ユニットは１つの処理ユニットに統合されてもよく、各ユニットは独立して物理的に存在してもよく、２つ又は２つ以上のユニットは１つのユニットに統合されてもよい。
【０２１１】
前記機能はソフトウェア機能ユニットの形式で実現され、独立した製品として販売又は使用されるときは、１つのコンピュータ可読記憶媒体に記憶されてもよい。このような理解に基づき、本願の技術案の本質的又は従来技術に貢献する部分、又は該技術案の一部はソフトウェア製品の形式で具現されてもよく、該コンピュータソフトウェア製品は、１台のコンピュータ装置（パーソナルコンピュータ、サーバ又はネットワーク装置等）に本願の各実施例に記載の方法の全部又は一部のステップを実行させるための若干の命令を含む１つの記憶媒体に記憶される。そして、上記記憶媒体はＵＳＢメモリ、ポータブルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる様々な媒体を含む。
【０２１２】
以上の説明は本願の具体的な実施形態であって、本願の保護範囲を制限するためのものではなく、当業者が本願に開示される技術的範囲内で容易に想到し得る変更や置換は、いずれも本願の保護範囲内に含まれるべきである。従って、本願の保護範囲は特許請求の範囲に準じるべきである。
【図１】
2021512520.tif 000007
【図２】
2021512520.tif 000008
【図３】
2021512520.tif 000009
【図４】
2021512520.tif 000010
【図５】
2021512520.tif 000011
【図６】
2021512520.tif 000012
【図７】
2021512520.tif 000013
【図８】
2021512520.tif 000014
【図９】
2021512520.tif 000015
【図１０】
2021512520.tif 000016
【図１１】
2021512520.tif 000017
【図１２】
2021512520.tif 000018
【図１３】
2021512520.tif 000019
【図１４】
2021512520.tif 000020
【手続補正書】
【提出日】令和2年11月17日(2020.11.17)
【手続補正１】
【補正対象書類名】特許請求の範囲
【補正対象項目名】全文
【補正方法】変更
【補正の内容】
【特許請求の範囲】
【請求項１】
無線通信方法であって、
第１同期信号ブロックに含まれる物理ブロードキャストチャネル（ＰＢＣＨ）における第１指示フィールドが、
同期信号ブロック及び非同期信号ブロックのチャネル又は信号間の物理リソースブロック（ＰＲＢ）グリッドオフセット、又は第２同期信号ブロックのリソース情報を示し、
前記第１同期信号ブロックを送信するために使用され、前記第１指示フィールドが前記第２同期信号ブロックのリソース情報を示すために使用される場合、前記第１同期信号ブロックにおける前記第１指示フィールドが前記第２同期信号ブロックのリソース情報を示す、前記無線通信方法。
【請求項２】
前記第１指示フィールドが前記ＰＲＢグリッドオフセットを示すために使用される場合、前記第１同期信号ブロックにおける第１指示フィールドが前記ＰＲＢグリッドオフセットを示すことを特徴とする
請求項１に記載の方法。
【請求項３】
前記第１同期信号ブロックのＰＢＣＨが第２指示フィールドを更に含み、
前記第２指示フィールドが前記第２同期信号ブロックのリソース情報の一部を示すために使用される場合、前記第１指示フィールドで示されるのが前記第２同期信号ブロックのリソース情報のうちの残りの情報であることを特徴とする
請求項１または２に記載の方法。
【請求項４】
前記リソース情報が前記第１同期信号ブロックと前記第２同期信号ブロックとの間の相対周波数オフセットの情報を含むことを特徴とする
請求項１または２に記載の方法。
【請求項５】
無線通信方法であって、
第１同期信号ブロックを受信することと、
前記第１同期信号ブロックの物理ブロードキャストチャネル（ＰＢＣＨ）における第１指示フィールドで示されるのが同期信号ブロック及び非同期信号ブロックのチャネル又は信号間のＰＲＢグリッドオフセット、又は第２同期信号ブロックのリソース情報であると決定することと、
前記第１指示フィールドが前記第２同期信号ブロックのリソース情報を示す場合、前記第１指示フィールドから前記第２同期信号ブロックのリソース情報を取得することと、を含む、前記無線通信方法。
【請求項６】
前記第１指示フィールドが前記ＰＲＢグリッドオフセットを示す場合、前記第１指示フィールドから前記ＰＲＢグリッドオフセットを取得することを更に含むことを特徴とする
請求項５に記載の方法。
【請求項７】
前記方法は、
前記ＰＲＢグリッドオフセットに基づいて制御チャネルの受信を行うことと、
受信された制御チャネルに基づいて残存最小システム情報（ＲＭＳＩ）を受信することと、を更に含むことを特徴とする
請求項６に記載の方法。
【請求項８】
前記方法は、
前記第２同期信号ブロックのリソース情報を取得した後、前記第２同期信号ブロックのリソース情報に基づいて前記第２同期信号ブロックを受信することを更に含むことを特徴とする
請求項５に記載の方法。
【請求項９】
前記第１同期信号ブロックのＰＢＣＨが第２指示フィールドを更に含み、
前記第２指示フィールドが前記第２同期信号ブロックのリソース情報の一部を示すために使用される場合、前記第１指示フィールドで示されるのが前記第２同期信号ブロックのリソース情報のうちの残りの情報であることを特徴とする
請求項５〜８のいずれか一項に記載の方法。
【請求項１０】
前記第２同期信号ブロックのリソース情報が前記第１同期信号ブロックと前記第２同期信号ブロックとの間の相対周波数オフセットの情報を含むことを特徴とする
請求項６〜８のいずれか一項に記載の方法。
【請求項１１】
処理ユニット及び通信ユニットを備える、ネットワーク装置であって、
前記処理ユニットは、第１同期信号ブロックに含まれる物理ブロードキャストチャネル（ＰＢＣＨ）における第１指示フィールドが、同期信号ブロック及び非同期信号ブロックのチャネル又は信号間の物理リソースブロック（ＰＲＢ）グリッドオフセット、又は第２同期信号ブロックのリソース情報を示すために使用されると決定するように構成され、
前記通信ユニットは、前記第１同期信号ブロックを送信するように構成され、前記第１指示フィールドが前記第２同期信号ブロックのリソース情報を示すために使用される場合、前記第１同期信号ブロックにおける前記第１指示フィールドが前記第２同期信号ブロックのリソース情報を示す、前記ネットワーク装置。
【請求項１２】
前記第１指示フィールドが前記ＰＲＢグリッドオフセットを示すために使用される場合、前記第１同期信号ブロックにおける前記第１指示フィールドが前記ＰＲＢグリッドオフセットを示すことを特徴とする
請求項１１に記載のネットワーク装置。
【請求項１３】
前記第１同期信号ブロックのＰＢＣＨが第２指示フィールドを更に含み、
前記第２指示フィールドが前記第２同期信号ブロックのリソース情報の一部を示すために使用される場合、前記第１指示フィールドで示されるのが前記第２同期信号ブロックのリソース情報のうちの残りの情報であることを特徴とする
請求項１１または１２に記載のネットワーク装置。
【請求項１４】
前記リソース情報が前記第１同期信号ブロックと前記第２同期信号ブロックとの間の相対周波数オフセットの情報を含むことを特徴とする
請求項１１または１２のいずれか一項に記載のネットワーク装置。
【請求項１５】
処理ユニット及び通信ユニットを備える、端末装置であって、
前記通信ユニットは、第１同期信号ブロックを受信するように構成され、
前記処理ユニットは、前記第１同期信号ブロックの物理ブロードキャストチャネル（ＰＢＣＨ）における第１指示フィールドで示されるのが同期信号ブロック及び非同期信号ブロックのチャネル又は信号間のＰＲＢグリッドオフセット、又は第２同期信号ブロックのリソース情報であると決定し、
前記第１指示フィールドが前記第２同期信号ブロックのリソース情報を示す場合、前記第１指示フィールドから前記第２同期信号ブロックのリソース情報を取得するように構成される、前記端末装置。
【請求項１６】
前記処理ユニットは、更に、
前記第１指示フィールドが前記ＰＲＢグリッドオフセットを示す場合、前記第１指示フィールドから前記ＰＲＢグリッドオフセットを取得するように構成されることを特徴とする
請求項１５に記載の端末装置。
【請求項１７】
前記通信ユニットは、更に、
前記ＰＲＢグリッドオフセットに基づいて制御チャネルの受信し、
受信された制御チャネルに基づいてＲＭＳＩを受信するように構成されることを特徴とする
請求項１６に記載の端末装置。
【請求項１８】
前記通信ユニットは、更に、
前記第２同期信号ブロックのリソース情報を取得した後、前記第２同期信号ブロックのリソース情報に基づいて前記第２同期信号ブロックを受信するように構成されることを特徴とする
請求項１５に記載の端末装置。
【請求項１９】
前記第１同期信号ブロックのＰＢＣＨが更に第２指示フィールドを含み、
前記第２指示フィールドが前記第２同期信号ブロックのリソース情報の一部を示すために使用される場合、前記第１指示フィールドで示されるのが前記第２同期信号ブロックのリソース情報のうちの残りの情報であることを特徴とする
請求項１５〜１８のいずれか一項に記載の端末装置。
【請求項２０】
前記第２同期信号ブロックのリソース情報が前記第１同期信号ブロックと前記第２同期信号ブロックとの間の相対周波数オフセットの情報を含むことを特徴とする
請求項１６〜１８のいずれか一項に記載の端末装置。
【国際調査報告】
2021512520.tif 000021
2021512520.tif 000022
2021512520.tif 000023
2021512520.tif 000024